(57)【要約】【課題】従来技術の問題を解決する。【解決手段】電気窓覆いの充電システム及び充電方法が開示される。電気窓覆いは、電源デバイスと、電力入力部とを含み、電力入力部は、フレームに設けられ、電源デバイスに連結される。充電システムは、充電デバイスを含み、充電デバイスは、伸張物体と、電力出力部と、電力を蓄える蓄電デバイスとを含む。電力出力部及び蓄電デバイスは、それぞれ伸張物体に接続され、伸張物体は、その長手方向において直立可能である。充電デバイスがフレームに接続され、フレームから吊り下げられるとき、蓄電デバイスの電力は、伸張物体を通じて電力出力部に送られ、それにより、電源デバイスを充電する。従って、前述の充電システムを用いて本方法を容易に遂行することができる。【選択図】図１
2018183048.tif 000002
【特許請求の範囲】
【請求項１】
電気窓覆いのための充電システムであって、
前記電気窓覆いは、電気窓覆いの動作を制御する電動アセンブリと、再充電可能な電源デバイスと、電力入力部とを含み、該電力入力部は、フレームに設けられ、前記電源デバイスに連結され、前記電源デバイスは、前記電動アセンブリに電力を提供するために前記電動アセンブリに連結され、
当該充電システムは、充電デバイスを含み、該充電デバイスは、剛性を有する伸張物体と、電力出力部と、電力を蓄えるように構成される蓄電デバイスとを含み、前記伸張物体は、その長手方向において直立するように構成され、その長手方向に設けられる第１の接続部分及び第２の接続部分を有し、前記電力出力部は、前記第１の接続部分の近くに設けられ、前記蓄電デバイスは、分離可能な方法において前記第２の接続部分に接続され、前記電力出力部及び前記蓄電デバイスは、それらの間に導電性を有するので、前記蓄電デバイスは、前記電力出力部に電力を送るように構成され、前記充電デバイスは、任意的に、前記フレームに接続され、前記フレームから吊り下げられ、
前記充電デバイスが前記フレームに接続され、前記フレームから吊り下げられるとき、前記伸張物体の前記第１の接続部分は、前記フレームに近く、それにより、前記蓄電デバイスは、前記伸張物体を通じて前記電力出力部に電力を送るように構成され、前記電力出力部は、前記電力入力部に電力を提供することにより、前記電力入力部を通じて前記電源デバイスに電力を送って、前記電源デバイスを充電するように構成される、
充電システム。
【請求項２】
第１の固定構造及び第２の固定構造を更に含み、前記第１の固定構造は、前記充電デバイスの前記伸張物体に接続され、前記第１の接続部分の近くにあり、前記第２の固定構造は、前記第１の固定構造に対応する位置で前記電気窓覆いの前記フレームに固定されるように構成され、前記第１の固定構造及び前記第２の固定構造が組み合わせられるとき、前記充電デバイスは、前記フレームに接続され、前記フレームから吊り下げられ、前記電力出力部は、前記電力入力部に電力を提供することにより、前記電源デバイスを充電する、請求項１に記載の充電システム。
【請求項３】
前記電力入力部は、前記電気窓覆いの前記フレームに固定的に設けられるように構成され、前記第２の固定構造は、ノッチを含み、該ノッチは、前記電気窓覆いの前記フレーム内に設けられるように構成され、前記フレームの外側プレートに形成される開口を有し、前記ノッチの位置は、前記電力入力部の位置に対応する、請求項２に記載の充電システム。
【請求項４】
カバープレートを更に含み、該カバープレートは、前記電気窓覆いの前記フレームの前記外側プレートに枢動的に接続されるように構成され、前記カバープレートは、前記開口の近くにあり、前記カバープレートは、前記外側プレートに対して枢動可能であることにより、前記開口を露わにし或いは覆う、請求項３に記載の充電システム。
【請求項５】
前記第１の固定構造は、係合部分を含み、該係合部分は、該係合部分が前記伸張物体の長手方向に対して実質的に垂直であるような方法において前記第１の接続部分に接続され、前記電力出力部は、前記係合部分で固定され、前記係合部分は、前記開口を貫通することによって前記電気窓覆いの前記フレームに係合されるように構成され、それにより、前記電力出力部は、前記電気窓覆いの前記電力入力部と接触する、請求項３に記載の充電システム。
【請求項６】
前記係合部分は、その底面に設けられる溝を有し、フランジが、前記溝に対応して、前記ノッチに形成され、前記係合部分は、前記フランジが前記溝に嵌入させられた状態で、前記開口を貫通することによって前記電気窓覆いの前記フレームに係合されるように構成される、請求項５に記載の充電システム。
【請求項７】
前記係合部分は、その底面に設けられる第１の磁性部材を有し、第２の磁性部材が、前記第１の磁性部材と対応して、前記ノッチに設けられ、前記係合部分は、前記第１の磁性部材及び前記第２の磁性部材が互いにくっついた状態で、前記開口を貫通することによって前記電気窓覆いの前記フレーム内に配置されるように構成される、請求項５に記載の充電システム。
【請求項８】
弾性プレートが、前記係合部分の径方向に前記係合部分から突出し、前記弾性プレートの輪郭は、非拘束状態において前記ノッチの前記開口の幅よりも大きい、請求項５に記載の充電システム。
【請求項９】
前記係合部分は、開放端面を有し、前記電力出力部は、前記開放端面に固定的に設けられ、前記係合部分は、ブロック部材を有し、該ブロック部材は、前記係合部分の径方向に形成され、前記係合部分から突出し、前記ノッチの前記開口の輪郭は、前記係合部分の輪郭に対応し、前記開口は、更に、内壁と、停止部材とを含み、該停止部材は、前記開口の径方向において前記内壁から前記開口の中心に向かって形成され、前記係合部分の前記ブロック部材及び前記開口の前記停止部材が互い違いになるとき、前記係合部分は、前記開口を通じて前記電気窓覆いの前記フレーム内に配置されるのが可能にされ、前記充電デバイスの前記伸張物体が、前記停止部材及び前記係合部分の前記ブロック部材がある方向において重なり合う位置まで回転させられるとき、前記ブロック部材は前記停止部材によって停止され、それにより、前記係合部分は、前記電気窓覆いの前記フレーム内に固定され、前記係合部分に固定的に設けられる前記電力出力部は、前記電気窓覆いの前記電力入力部と接触する、請求項５に記載の充電システム。
【請求項１０】
前記充電デバイスは、ホルダを含み、該ホルダは、前記伸張物体に接続され、前記第１の接続部分の近くにあり、前記電力出力部は、前記ホルダで固定され、前記第１の固定構造は、前記ホルダに固定的に設けられる第３の磁性部材を含み、前記第２の固定構造は、前記電気窓覆いの前記フレームに固定的に設けられるように構成される第４の磁性部材を含み、前記ホルダが前記フレームに接近するとき、前記第３の磁性部材及び前記第４の磁性部材は互いにくっつくことにより、前記電力出力部と前記電力入力部との間の相対的な位置を維持する、請求項２に記載の充電システム。
【請求項１１】
前記第１の固定構造は、取付部分を含み、該取付部分の端が、前記伸張物体に接続され、前記第１の接続部分の近くにあるのに対し、前記取付部分の第２の端が、取付端であり、前記第２の固定構造は、取付スロットを含み、該取付スロットは、前記電気窓覆いの前記フレームで固定されるように構成され、前記取付端が前記取付スロットに嵌入するとき、前記伸張物体の前記第１の接続部分は、前記フレームに近く、前記電力出力部と前記電力入力部との間の相対的な位置が維持される、請求項２に記載の充電システム。
【請求項１２】
前記電気窓覆いの前記フレームは、外側プレートを有し、前記電力入力部は、前記外側プレートの外面に固定的に設けられ、前記電力出力部は、前記電力入力部に接続されることにより、前記電力出力部を通じて前記電力入力部に電力を送って、前記電源デバイスを充電するように構成される、請求項１０に記載の充電システム。
【請求項１３】
前記電気窓覆いの前記フレームは、外側プレートを有し、前記電力入力部は、前記外側プレートの外面に固定的に設けられ、前記電力出力部は、前記電力入力部に接続されることにより、前記電力出力部を通じて前記電力入力部に電力を送って、前記電源デバイスを充電するように構成される、請求項１１に記載の充電システム。
【請求項１４】
前記電気窓覆いの前記フレームは、外側プレートを有し、前記電力入力部は、前記外側プレートの内面に固定的に設けられ、前記電力出力部は、前記電力入力部に隣接することにより、前記電力出力部を通じて前記電力入力部に電力を誘導的に送って、前記電源デバイスを充電するように構成される、請求項１０に記載の充電システム。
【請求項１５】
前記電気窓覆いの前記フレームは、外側プレートを有し、前記電力入力部は、前記外側プレートの内面に固定的に設けられ、前記電力出力部は、前記電力入力部に隣接することにより、前記電力出力部を通じて前記電力入力部に電力を誘導的に送って、前記電源デバイスを充電するように構成される、請求項１１に記載の充電システム。
【請求項１６】
前記伸張物体は、前記伸張物体を形成するよう接合され且つ接続される、複数のスリーブを含む、請求項１に記載の充電システム。
【請求項１７】
前記伸張物体は、導電性を有し、前記電力出力部は、前記第１の接続部分に連結され、前記蓄電デバイスは、前記第２の接続部分に接続されることにより、前記蓄電デバイスの電力を前記伸張物体を通じて前記電力出力部に送る、請求項１に記載の充電システム。
【請求項１８】
前記充電デバイスは、第１の端と、第２の端とを有する、導体を含み、前記第１の端は、前記伸張物体の前記第１の接続部分に対応する位置に設けられ、前記電力出力部に連結され、前記第２の端は、前記伸張物体の前記第２の接続部分に対応する位置に設けられ、前記蓄電デバイスに連結され、それにより、前記電力出力部及び前記蓄電デバイスは、それらの間に導電性を有し、前記蓄電デバイス中の電力は、前記導体の前記第２の端を通じて前記第１の端に送られるので、電力は前記伸張物体の前記第２の接続部分に対応する前記位置から前記第１の接続部分に対応する前記位置に送られる、請求項１に記載の充電システム。
【請求項１９】
前記伸張物体は、前記伸張物体の長手方向に設けられる連通空間を有し、前記導体は、前記連通空間内に設けられる、請求項１８に記載の充電システム。
【請求項２０】
前記伸張物体は、複数のスリーブを含み、該複数のスリーブの各々は、その軸方向に延びる通路を有し、前記スリーブは、前記伸張物体を形成するよう接合され且つ接続され、前記通路は、前記連通空間を構成し、前記導体は、螺旋ワイヤであり、前記伸張物体に対して圧縮可能又は伸張可能である、請求項１９に記載の充電システム。
【請求項２１】
前記充電デバイスは、ケースを含み、前記蓄電デバイスは、前記ケース内に受け入れられ、前記ケースは、前記伸張物体の前記第２の接続部分に枢動的に接続され、前記伸張物体は、前記ケースに対して枢動可能であり且つ折り曲げ可能である、請求項１に記載の充電システム。
【請求項２２】
前記電源デバイスは、第１の再充電可能な電池と、第１の充電モジュールとを含み、前記蓄電デバイスの電力は、前記伸張物体、前記電力出力部及び前記電力入力部を通じて前記第１の充電モジュールに送られ、前記第１の再充電可能な電池を充電する、請求項１に記載の充電システム。
【請求項２３】
前記第１の充電モジュールは、前記第１の再充電可能な電池の残留電力を検出するために前記第１の再充電可能な電池に電気的に接続される、第１の残留電力検出回路を含み、前記電源デバイスは、前記第１の再充電可能な電池の残留電力を表示するために前記第１の残留電力検出回路に電気的に接続される、第１のディスプレイユニットを含む、請求項２２に記載の充電システム。
【請求項２４】
前記蓄電デバイスは、第２の再充電可能な電池と、第２の充電モジュールとを含み、該第２の充電モジュールは、外部電源によって電力供給されることにより、前記第２の再充電可能な電池を充電するように構成される、請求項１に記載の充電システム。
【請求項２５】
前記第２の充電モジュールは、前記第２の再充電可能な電池の残留電力を検出するために前記第２の再充電可能な電池に電気的に接続される、第２の残留電力検出回路を含み、前記蓄電デバイスは、前記第２の再充電可能な電池の前記残留電力を表示するために前記第２の残留電力検出回路に電気的に接続される、第２のディスプレイユニットを含む、請求項２４に記載の充電システム。
【請求項２６】
電気窓覆いを充電する方法であって、
前記電気窓覆いは、前記電気窓覆いの動作を制御する電動アセンブリと、再充電可能な電源デバイスと、電力入力部とを含み、該電力入力部は、フレームに設けられ、前記電源デバイスに連結され、前記電源デバイスは、前記電動アセンブリに電力を提供するために前記電動アセンブリに連結され、
当該方法は、
ａ）請求項１に記載の充電システムを提供するステップと、
ｂ）前記伸張物体を移動させて前記伸張物体の前記第１の接続部分を前記電気窓覆いの前記フレームに接近させることにより、前記充電デバイスが前記フレームに接続されたまま及び前記フレームから吊り下げられたままにするステップと、
ｃ）前記蓄電デバイスの電力を前記伸張物体を通じて前記電力出力部に送り、次に、前記電気窓覆いの前記電力入力部に電力を提供して前記電源デバイスを充電するステップと、
ｄ）前記電源デバイスの充電を完了するステップとを含む、
方法。
【発明の詳細な説明】
【技術分野】
【０００１】
本発明は、一般的には、電気窓覆い(electric  window  covering)に関し、より具体的には、電気窓覆いの電源に充電機能を直接的に提供することができる充電システム及び充電システムを用いて電気窓覆いを充電する方法に関する。
【背景技術】
【０００２】
一般的に、窓覆いは、カーテンボックス(headrail)と、カーテンボックスの下に提供される被覆材料(covering  material)と、制御機構とを含み、制御機構は、大部分は、カーテンボックスの内側に提供され、被覆材料を移動させるよう作動させられることができる。無理に作動させられると、制御機構は、被覆材料を開放又は閉塞することにより、建物の開口（例えば、窓又はドア）上の被覆材料の適用範囲を調節する。
【０００３】
被覆材料の動きを制御する従来的な方法は、おおよそ、２つのカテゴリ、即ち、手動によるもの及び電気手段によるものに分けられることができる。手動で操作される窓覆いは、典型的には、ユーザによって提供される力をカーテンボックスの内側の制御機構に伝える媒体としてコードを使用する。しかしながら、露出したコードが偶発的にループを形成して、子供を巻き添えにする潜在的な絞殺事故を引き起こすことを見るのは珍しくない。幾つかの製造業者は、露出させられるコードがなく、コード付きの窓覆いよりも安全な、コードレス窓覆いを開発しているが、被覆材料の調節可能な範囲は、ユーザの到達可能性(reachability)によって制限される、即ち、ユーザがどれぐらい高く届くことができるかに依存する。少なくともこの理由のために、コードレス窓覆いは、理想的な製品とはみなされていない。更に、手動で操作される窓覆いを操作するためにどんな種類の手動手段が適用されようとも、被覆材料の重量は、人力によって持ちこたえられるに過ぎない。よって、この種の窓覆いを使用するのは不便である。近年の電気適用(electricity  application)の普及の故に、窓覆いを作る産業は、手動で操作される窓覆いに関するこれらの欠点を解決することを目標として、電気を利用して被覆材料を動かすことに徐々に向かっている。
【０００４】
一般的に、電気窓覆いは、カーテンボックス内で又はその付近で提供される電気によって給電される電動チューブを有する。電動チューブの出力端は、出力シャフトであり、出力シャフトの動きは、リール(reel)の動きと相関する。電動チューブがアクティブ化信号の受信後に作動し始めるとき、それは出力シャフトを回転させ、次に、出力シャフトはリールを相関的に回転させ、結果的に、被覆材料を開放又は閉塞する。典型的には、電気窓覆いの電動チューブは、リールの近くに提供される。何故ならば、そのような構成は、電動チューブからリールに回転力を伝えるプロセス中に起こるエネルギ損失を減少させるという利点を有する。そのような電気覆いは、露出させられるコードを必要とせず、その電動チューブは、遠隔制御手段によって制御可能であることができ、それは窓覆いの設置高さに対する固有の限界を排除し得ることを意味する。従って、電動窓覆いは、公衆によって広く使用される可能性を有するはずである。
【０００５】
それにも拘わらず、電気は電気窓覆い用の電力源(source  of  power)として取られるので、電源デバイスが、電気窓覆いが設置される場所から離れているならば、電気窓覆いに送電するために並びに電動チューブに給電するために、２つのものを接続する送電ワイヤが必要とされる。しかしながら、何らかの理由で送電ワイヤを部屋の壁又は装飾物の背後に隠し得ないならば、それは突然(abrupt)であるように見え、部屋の全体的な外観を損なう。加えて、幾つかの領域では、単に要件により送電ワイヤをどこにも設置できない。何故ならば、幾つかの設置場所は安全規制によって禁止されるからである。よって、そのような場合には、電気窓覆いを設置する場所は制約され、それは消費者が電気窓覆いを使用する意欲に影響を与える。
【０００６】
上記制約を克服するために、送電ワイヤを設置するのに適さない環境では、蓄電する能力を有する電源デバイス（例えば、電池）を使用して、電気窓覆いに電気を提供することができる。しかしながら、そのような電源デバイスは限定的な容量を有刺、それがひとたび電力を使い果たすと、それは交換されなければならない。更に、モータに効率的に給電し、送電中のエネルギ損失を減少させる目的において、この種の電源デバイスは、通常、カーテンボックス内に又はその付近に配置され、即ち、窓の頂縁の周りに配置され、それは電池の交換を面倒な仕事にする。これに関して、不便さを少なくするために、外部電池を備える設計が開発されている。特許文献１を例に取ると、そこに開示されるカーテンボックスは、カーテンボックスから露出され且つカーテンボックス内に設けられるモータアセンブリに接続される、導電性端子を備える。他の導電性端子が懸架ロッドの頂端に設けられ、懸架ロッドは内側に電池を収容する。懸架ロッドの上にある導電性端子及び電池は連結される。懸架ロッドの上にある導電性端子とカーテンボックスにある導電性端子とを電気的に接続することによって、懸架ロッド内の電池の電力を、接続される導電性端子を通じてモータアセンブリに送り、それにより、モータアセンブリに給電することができる。手短に言えば、この特許は懸架ロッドを通じて外部電力を提供することによって不便な電池交換の問題を解決する。特許文献２は他の例であり、それは、カーテンボックス及び移動可能な被覆材料のみならず制御システムも含む、電気窓覆いを開示している。制御システムは、カーテンボックスに設けられるリンクデバイスと、窓覆いから分離されることができる駆動デバイスとを含む。モータ及び電源が駆動デバイスの前方端の内側に設けられ、電源はモータに給電する。駆動デバイスは、その前方端から延びる力出力部を更に有し、力出力部はモータによって駆動させられることができ且つ回転させられることができる。駆動デバイスは、モータに連結されるようその後方端に設けられる制御スイッチを有する。リンクデバイスは、力入力部と、カーテンボックスから露出させられる作動部分とを含み、力入力部を力出力部に接続することにより、駆動デバイス及びリンクデバイスを接続することができる。他方、作動部分は、移動可能な被覆材料に直接的又は間接的に接続される。モータが力出力部を回転させ、力入力部が同様に回転するよう力出力部によって回転させられるとき、作動部分は力入力部の回転と共に回転させられることにより、移動可能な被覆材料を相応して開放又は閉塞する。
【０００７】
要約すれば、前述の電気窓覆いは、両方とも、カーテンボックス内に設けられるモータアセンブリに給電するために或いはカーテンボックス内に同様に設けられるリンクデバイスに回転力を供給するために、カーテンボックスに接続される長いロッドを有する。上記機能を果たすために、長いロッドは、少なくとも、電源又は駆動デバイスを含む。（例えば、そのような窓覆いの動作を制御する遠隔制御装置を使用する）この種の電気窓覆いの便利な使用を考慮して、長いロッドはカーテンボックスの下に恒久的に吊り下げられなければならない。しかしながら、電力を提供する電池又は駆動デバイスを駆動させるモータを用いるならば、長いロッドは幾分重く、カーテンボックス及び長いロッドが接続される場所で持続性の下向きの引張力を生成する。従って、カーテンボックスは、長いロッドを長い時間に亘って下に吊り下げさせることによって傾くことがある。更に、恒久に吊り下げられる長いロッドを備える窓覆いはより多くの空間を占め、誰かが長いロッドに衝突するより高い可能性をもたらし、それは長いロッド又は長いロッドとカーテンボックスとの間の接合に損傷を引き起こすことがある。人々はそれから怪我をすることさえある。加えて、恒久的な吊り下げられる長いロッドは、部屋の外観にも影響を与える。更に、前述の電気窓覆いは、両方とも、電力又は駆動力を送るために長いロッドを接続構造と係合させるよう、モータアセンブリ又はリンクデバイスに接続されるカーテンボックスから露出させられる接続構造を有する。露出させられる接続構造は電気窓覆いの外観の完全性を損ない、電気窓覆いの全体的な設計によってもたらされる審美的な感触を減じる。
【０００８】
加えて、幾つかの種類の電気窓覆いは、電池を交換することの不便さを避けるために再充電可能な二次電池を使用する。そのような電気窓覆いは、カーテンボックスに設けられる充電コネクタを有し、二次電池をひとたび使い果たすならば、特許文献３、特許文献４、特許文献５及び特許文献６に開示されるように、充電コネクタ電力を提供することによってそれを再充電することができる。しかしながら、カーテンボックス内に設けられる殿堂アセンブリに効果的に電力を提供するために、電源デバイスが、通常、窓の頂部より上にあるカーテンボックス付近に固定され、或いはカーテンボックス内に直接的に設置されさえする。従って、ユーザが二次電池を充電することを試みる間に充電コネクタに接近するために、ツール（例えば、梯子）が依然として必要とされる。代替的に、カーテンボックスから吊り下がる充電ケーブルがあることができ、カーテンボックスの内側にある充電ケーブルの端は、同様にカーテンボックスの内側にある二次電池に接続されるのに対し、充電ケーブルの他の端は外側に露出させられ、接続端を備える。そのような設計を用いるならば、接続端を外部電源に接続することにより、特許文献６に開示されるように、充電ケーブルを通じて再充電可能な電池に電力を提供して、電池を再充電することができる。
【０００９】
しかしながら、露出される充電ケーブルで再充電可能な電池を充電することは、依然として完全な解決策でない。何故ならば、そのような露出された充電ケーブルは、ループ内に偶発的に巻き込まれて、潜在的な危険を生じさせることがあり、対応する電気窓覆いの全体的な外観に影響を与え得るからである。他方、カーテンボックスにある充電コネクタを通じて再充電可能な電池に電力を提供することは、設置高さに関しても限界を示す。何故ならば、充電コネクタが高く設置され過ぎるならば、対応する電源デバイスを充電することは困難だからである。従って、電気窓覆いを便利に且つ安全にどのように充電するかは、関連産業において解決される必要がある大きな問題になっている。
【先行技術文献】
【特許文献】
【００１０】
【特許文献１】米国特許第６９１０５１５Ｂ２号明細書
【特許文献２】台湾特許第５３９７９９号明細書
【特許文献３】ＣＮ２０１３６７８３５Ｙ号明細書
【特許文献３】ＣＮ２０５６９３３９３Ｕ号明細書
【特許文献３】ＣＮ２０４７６４９００号明細書
【特許文献６】欧州特許出願公開第３１２８１１５Ａ１号明細書
【特許文献７】米国特許第９５１４６３８Ｂ２号明細書
【発明の概要】
【００１１】
本発明の１つの態様は、電気窓覆いのための充電システム及び充電システムを用いて電気窓覆いを充電する方法を提供することである。伸張可能な充電デバイスを利用することによって、充電デバイスの電力出力部は、電気窓覆いの電力入力部を通じて前記窓覆いの電源デバイスに電力を提供することにより、電源デバイスを充電することができる。充電デバイスは特定の伸張性(extensibility)を有するので、ユーザは異なる高さに設置された電気窓覆いを、努力を要せずに容易に充電することができる。従って、電気窓覆いの電源デバイスを充電することの面倒を排除することができる。
【００１２】
本発明は、電気窓覆いのための充電システムを提供し、電気窓覆いは、電気窓覆いの動作を制御する電動アセンブリと、再充電可能な電源デバイスと、電力入力部とを含み、電力入力部は、フレームに設けられ、電源デバイスに連結される。電源デバイスは、電動アセンブリに電力を提供するために電動アセンブリに連結される。充電システムは、充電デバイスを含み、充電デバイスは、剛性を有する伸張物体と、電力出力部と、電力を蓄えるように構成される蓄電デバイスとを含む。伸張物体は、その長手方向において直立するように構成され、その長手方向に設けられる第１の接続部分及び第２の接続部分を有する。電力出力部は、第１の接続部分の近くに設けられる。蓄電デバイスは、分離可能な方法において第２の接続部分に接続される。電力出力部及び蓄電デバイスは、それらの間に導電性を有する。充電デバイスは、任意的に、フレームに接続され、フレームから吊り下げられる。伸張物体の第１の接続部分は、フレームに近いので、蓄電デバイスは、伸張物体を通じて電力出力部に電力を送るように構成され、電力出力部は、電力入力部に電力を提供することにより、電力入力部を通じて電源デバイスに電力を送って、電源デバイスを充電するように構成される。
【００１３】
本発明は、充電システムで電気窓覆いを充電する方法も提供し、電気窓覆いは、電気窓覆いの動作を制御する電動アセンブリと、再充電可能な電源デバイスと、電力入力部とを含み、電力入力部は、フレームに設けられ、電源デバイスに連結される。電源デバイスは、電動アセンブリに電力を提供するために電動アセンブリに連結される。当該方法は、以下のステップ、即ち、ａ）前記充電システムを提供するステップと、ｂ）伸張物体を移動させて伸張物体の第１の接続部分をフレームに接近させることにより、充電デバイスがフレームに接続されたまま及びフレームから吊り下げられたままにするステップと、ｃ）蓄電デバイスの電力を伸張物体を通じて電力出力部に送り、次に、電力入力部に電力を提供して電源デバイスを充電するステップと、ｄ）電源デバイスの充電を完了するステップとを含む。
【００１４】
本発明のこれらの及び他の目的は、様々な図及び図面に例示される好ましい実施形態についての後続の詳細な記述を読んだ後に当業者に疑義なく明らかになるであろう。
【図面の簡単な説明】
【００１５】
本発明は、添付の図面と共に幾つかの例示的な実施形態についての後続の詳細な記述を参照することによって最良に理解されるであろう。
【００１６】
【図１】本発明の充電システムが電気窓覆いに電力を提供するシステムを示すブロック図である。
【００１７】
【図２】残留電力検出機能を提供する電源デバイスの実施を示すブロック図である。
【００１８】
【図３】本発明の長さ調節可能な伸張物体を示す概略図である。
【００１９】
【図４】導体が適用された図３に示す伸張物体を示す概略図である。
【００２０】
【図５】図３に示す伸張物体の使用状況を示す概略図である。
【００２１】
【図６】本発明の伸張物体が支持バーに接続されることを示す概略図である。
【００２２】
【図７】本発明の充電デバイスの斜視図である。
【００２３】
【図８】本発明において伸張物体及び蓄電デバイスがどのように接続されるかを示す概略図である。
【００２４】
【図９Ａ】伸張物体及び蓄電デバイスが本発明において互いに対して枢動可能であることを示す概略図である。
【００２５】
【図９Ｂ】図９Ａの部分拡大図である。
【００２６】
【図１０】図９Ａの四條状況を示す概略図である。
【００２７】
【図１１】残留電力検出のための本発明の蓄電デバイスの実施を示すブロック図である。
【００２８】
【図１２】本発明の充電デバイスが弾性プレートを有することを示す概略図である。
【００２９】
【図１３】本発明の第１のディスプレイユニットの他の実施を示すブロック図である。
【００３０】
【図１４】本発明の第１のディスプレイユニットの更に他の実施を示すブロック図である。
【００３１】
【図１５】本発明の第２のディスプレイユニットの他の実施を示すブロック図である。
【００３２】
【図１６】本発明の第２のディスプレイユニットの更に他の実施を示すブロック図である。
【００３３】
【図１７】本発明の第１の実施形態の充電システムが適用された電気窓覆いの斜視図である。
【００３４】
【図１８】本発明の第１の実施形態が適用されたフレームを示す概略図である。
【００３５】
【図１９】図１８に例示するフレームの内側を示す概略図である。
【００３６】
【図２０】本発明の第１の実施形態の充電システムの斜視図である。
【００３７】
【図２１】図２０に示す係合部分の拡大斜視図である。
【００３８】
【図２２】本発明の第１の実施形態における充電デバイスの伸張物体の概略図である。
【００３９】
【図２３】本発明の第１の実施形態における充電デバイスの蓄電デバイスの概略図である。
【００４０】
【図２４】本発明の第１の実施形態の使用状況を示す概略図である。
【００４１】
【図２５】図２４の側断面図である。
【００４２】
【図２６】本発明の第２の実施形態が適用されたフレームの斜視図である。
【００４３】
【図２７】図２６に示すフレームの頂面図である。
【００４４】
【図２８Ａ】本発明の第２の実施形態の充電システムの斜視図である。
【００４５】
【図２８Ｂ】図２８Ａに示す係合部分の部分拡大図である。
【００４６】
【図２８Ｃ】図２８Ａの蓄電デバイスが電気コネクタを通じてワイヤに接続されることを示す部分拡大図である。
【００４７】
【図２９】本発明の第２の実施形態における蓄電デバイスの斜視図である。
【００４８】
【図３０】本発明の第２の実施形態の使用状況を示す概略図である。
【００４９】
【図３１】本発明の第３の実施形態の係合部分の斜視図である。
【００５０】
【図３２】異なる角度から見た本発明の第３の実施形態における係合部分の他の斜視図である。
【００５１】
【図３３】本発明の第４の実施形態の斜視図である。
【００５２】
【図３４】本発明の第４の実施形態の使用状況を示す概略図である。
【００５３】
【図３５】本発明の第５の実施形態が適用されたフレームを示す斜視図である。
【００５４】
【図３６】本発明の第５の実施形態の充電システムの斜視図である。
【００５５】
【図３７Ａ】本発明の第５の実施形態の使用状況を示す概略図である。
【００５６】
【図３７Ｂ】取付端と取付スロットとの間の並びに電力出力部と電力入力部との間の係合を示す図３７Ａの概略断面図である。
【００５７】
【図３８】本発明の第６の実施形態が適用されたフレームの斜視図である。
【００５８】
【図３９】他の角度から見た図３８に示すフレームの他の斜視図である。
【００５９】
【図４０】本発明の第６の実施形態の係合部分の斜視図である。
【００６０】
【図４１Ａ】本発明の第６の実施形態の使用状況の概略図である。
【００６１】
【図４１Ｂ】取付端と取付スロットとの間の並びに電力出力部と電力入力部との間の係合を示す図４１Ａの概略断面図である。
【００６２】
【図４２】本発明の第７の実施形態が適用されたフレームの斜視図である。
【００６３】
【図４３】本発明の第７の実施形態の係合部分の斜視図である。
【００６４】
【図４４】他の角度から見た本発明の第７の実施形態の係合部分の他の斜視図である。
【００６５】
【図４５Ａ】本発明の第７の実施形態の１つの使用状況を示す概略図である。
【００６６】
【図４５Ｂ】係合部分がノッチ内に配置されることを示す図４５Ａの概略断面図である。
【００６７】
【図４６Ａ】本発明の第７の実施形態の他の使用状況を示す概略図である。
【００６８】
【図４６Ｂ】係合部分がノッチに嵌入されることを示す図４６Ａの概略断面図である。
【００６９】
【図４７】電気窓覆いの充電方法のフローチャートである。
【００７０】
【図４８】ディスプレイが適用された第１の充電方法のフローチャートである。
【００７１】
【図４９】同様にディスプレイが適用された第２の充電方法のフローチャートである。
【００７２】
【図５０】依然としてディスプレイが適用された第３の充電方法のフローチャートである。
【発明を実施するための形態】
【００７３】
上述のように、図１は、本発明の充電システムが電気窓覆い(electric  window  covering)に電力を提供するシステムを示すブロック図であり、図１７は、本発明の第１の実施形態の充電システムが適用された電気窓覆い２の斜視図である。前記電気窓覆い２は、ハウジング２１と、電力入力部２２と、再充電可能な電源デバイス２３と、電動アセンブリ２４とを含み、電力入力部２２は、フレーム２１１内に設けられており、電源デバイス２３は、第１のシート２１５内に設けられており、電動アセンブリ２４は、第２のシート２１６内に設けられている。具体的に言うと、第１のシート２１５は、電源デバイス２３を収容するために使用され、第２のシート２１６は、電動アセンブリ２４を収容するために使用される。電源デバイス２３は、第１の再充電可能な電池２３１と、第１の充電モジュール２３２とを含み、第１の再充電可能な電池２３１は、電動アセンブリ２４１に連結されることにより、電動アセンブリ２４に電力を提供するので、電動アセンブリ２４は、電気窓覆い２の被覆材料(covering  material)を開放又は閉塞させることができる。第１の充電モジュール２３２は、電力入力部２２及び第１の再充電可能な電池２３１にそれぞれ連結され、第１の再充電可能な電池２３１の充電手続きを制御することができる。コンポーネントの間の前述の連結関係は、電源デバイス２３を実施する際の限定でない。第１の再充電可能な電池２３１も、必要に応じて、他の回路モジュールを通じて、電動アセンブリ２４に電力を提供することができる。
【００７４】
前述の構造において、フレーム２１１、第１のシート２１５、及び第２のシート２１６は、電力入力部２２、電源デバイス２３、及び電動アセンブリ２４をそれぞれ固定又は収容する、独立したコンポーネントであり得る。代替的に、フレーム２１１、第１のシート２１５、及び第２のシート２１６は、モジュール化(modularization)又は容易な組立ての目的を考慮して、単一のハウジング２１として一体的に作られることもできる。そのような場合、電力入力部２２、電源デバイス２３、及び電動アセンブリ２４又は電気窓覆い２を駆動するように構成される他の機械的コンポーネントは、全て、ハウジング２１内に設けられて、組立てのために便利なモジュール式のコンポーネントを形成する。明細書全体を通じて記載するハウジング２１は、本発明の着想を説明するために一例としてモジュール化されており、ハウジング２１は、電力入力部２２を適切に位置付けるために、電力入力部２２をフレーム２１１内に直接的又は間接的に設けることができるよう、少なくともフレーム２１１を含む。
【００７５】
電気窓覆い２に適用される充電システムは、充電デバイス４を含み、充電デバイス４は、剛性(stiffness)を有する伸張物体４１と、電力出力部４２と、蓄電デバイス４３とを少なくとも含む。伸張物体４１が剛性を有すると言うことによって、伸張物体４１がその底端の傍で保持され且つ直立させられる(erected)ときに、伸張物体４１は剛的な(rigid)直立の状態にあることができることを意味する。伸張物体４１は、その長手方向に設けられる、第１の接続部分４１１と、第２の接続部分４１２とを有する。現在の実施形態において、充電デバイス４は、導体４４を更に含み、導体４４は、伸張物体４１の長手方向に設けられ、その上に固定されるように構成される。導体４４は、第１の端４４１と、第２の端４４２とを有し、第１の端４４１は、伸張物体４１の第１の接続部分４１１に対応する場所に設けられ、電力出力部４２に連結される。第２の端４４２は、第２の接続部分４１２に対応する場所に設けられ、蓄電デバイス４３に連結される。伸張物体４１の上に固定される導体４４は、固有の導電率(conductivity)を有し、従って、電力出力部４２と蓄電デバイス４３との間に電力を送ることができる。それにより、蓄電デバイス４３内に蓄えられる電力は、電力出力部４２に送られることができる。
【００７６】
充電デバイス４がフレーム２１１に接続されるとき、伸張物体４１の第１の接続部分は、フレーム２１１に近い。このときに、蓄電デバイス４３内に蓄えられる電力は、導体４４を貫通してその第２の端４４２からその第１の端４１１まで、伸張物体４１内に設けられる導体４４を通じて送られることができる。換言すれば、電力を伸張物体４１の第２の接続部分４１２に対応する場所から第１の接続部分４１１に対応する場所まで送り、次に、電力出力部４２まで送ることにより、フレーム２１１内に設けられる電力入力部２２に電力を提供することができるので、第１の再充電可能な電池２３１は、第１の充電モジュール２３２を通じて充電されることができる。更に、充電プロセスが進む間に、充電デバイス４は、フレーム２１１に接続されて、固定手段を通じてフレームから吊り下げられた状態に維持されることができ、従って、充電デバイス４をずっと手で保持することは不要である。
【００７７】
前述の設計を用いるならば、電気窓覆い２の電源デバイス２３を充電する必要があるときに、ユーザは、充電デバイス４の底端を保持して、充電デバイス４をハウジング２１に向かって直接的に移動させることによって、伸張物体４１の剛性を利用する必要があるだけである。充電デバイス４がフレーム２１１に接続され続けて、フレームから吊り下げられるや否や、電力は伸張物体４１又は伸張物体４１に固定される導体４４を通じて蓄電デバイス４３から電力出力部４２に送られることができる。その後に、電力は、フレーム２１１内に設けられる電力入力部２２に提供されることができ、次に、電源デバイス２３の第１の再充電可能な電池２３１に送られて、再充電可能な電池２３１を再充電することができる。このようにして、電池が交換され或いは再充電される必要があるだけなので、ユーザは電源デバイス２３に接近する梯子又は他の方法を使用する不快感を取り除くことができる。充電が完了すると、充電デバイス４はフレーム２１１から外されることができ、次に、完全に充電された電源デバイス２３は、電動アセンブリ２４又は他の電子制御コンポーネントに電力を提供し始めることができる。外部電力又は駆動電力は必要とされない。
【００７８】
電源デバイス２３の前述の第１の再充電可能な電池２３１は、ニッケル−金属水素化物再充電可能な電池、ニッケル−亜鉛再充電可能な電池、又はリチウム−イオン再充電可能な電池であり得る。しかしながら、これは第１の再充電可能な電池２３１の選択についての限定ではない。任意の再充電可能な電池が、上記設計を実施するための選択肢であり得る。実際には、第１の再充電可能な電池２３１は、第１の充電モジュール２３２と一体的に結合されることができるので、これらの２つのコンポーネントは、全体的に第１のシート２１５（又は一体的に作られるハウジング２１）内に効率的に設置されることができる。
【００７９】
図２及び図１７を参照のこと。図２は、残留電力検出機能を提供することができる、本明細書中に記載する電源デバイスの実施を示すブロック図である。図２に示すように、電源デバイス２３の第１の充電モジュール２３２は、少なくとも、第１の残留電力検出回路２３２１を含む。第１の再充電可能な電池２３１をより上手く制御するために、第１の充電モジュール２３２は、第１の放電制御回路と、第１の充電制御回路と、第１の保護制御回路と、第１の切換回路とを含み、第１の保護制御回路によって防止可能な状態は、過充電、過電圧、過放電、過負荷、過熱、及び短絡を含むが、これらに限定されない。第１の切換回路は図面中に示されていない。何故ならば、それは充電モジュールに関する周知の技法である。従って、それは本明細書で詳細に記載されない。
【００８０】
本明細書で述べる設計において、フレーム２１１内に設けられる電力入力部２２は、おおよそ、電気結合のために用いることができる以下の部品、即ち、ピン、ピンソケット、コネクタ、ＵＳＢコネクタ、プラグ、ソケット、及び電気結合点のうちの少なくとも１つを含む。更に、電力入力部２２は、（図３９に示すような）受信器コイルモジュール２２１を含むことができ、受信器コイルモジュール２２１は、電気信号を受信し、受信した電気信号を電力に変換し、次に、第１の充電モジュール２３２に送ることにより、第１の再充電可能な電池２３１に対して充電手続きを遂行することができる。前述の設計において、フレーム２１１は、第１の端子台２１１２を更に有し、電力入力部２２は、（図１９及び図２６に示すように）第１の端子台２１１２で固定される。
【００８１】
前述の充電システムのコンポーネントに基づいて、本発明の充電デバイス４の伸張物体４１は、剛性を有する長い物体又は剛性を有するのみならず伸張可能でもある長い物体であることができる。換言すれば、伸張物体４１は、図２０に示すように、伸張物体４１の長手方向に設けられる第１の接続部分４１１及び第２の接続部分４１２を有して、長い物体の長手方向において直立させられ得なければならない。ある実施形態において、伸張物体４１は、剛性と固定長とを有する長い物体、例えば、長いポールであり、他の実施形態において、伸張物体４１は、図２２に示す中空チューブのような、その長手方向に設けられる連通空間(communicated  space)を有する。加えて、図３乃至図５に示す更に他の実施形態において、伸張物体４１は、剛性を有する長い伸張可能な物体であり、複数の剛性スリーブ４１４を様々な方法において接続することによって形成される。例えば、スリーブ４１４は、重なり合う方法において他方が一方の周りに適合することによって（即ち、接合することによって）接続されることができることにより、スリーブ４１４の一部は、伸張物体４１のための所要の長さを達成するために引き出されることができる。代替的に、スリーブ４１４は、接続手段を通じて、例えば、螺合されることによって、軸方向に接続されることができ、螺合されることを通じて接続されるスリーブ４１４の数は、伸張物体４１の所要の長さに依存して調節されることができる。代替的に、スリーブ４１４は、一方が他方に隣接して枢動的に接続される方法において接続されることもできることにより、どの２つの隣接するスリーブ４１４も、同軸に延びる状態と互いに折り曲げられる状態との間で変化して、互いに対して枢動させられることができる。このようにして、伸張物体４１の所要の長さは、同軸に延びるスリーブ４１４の数を調節することによって達成されることができる。スリーブ４１４を接続して伸張物体４１を構成する各実施形態において、スリーブ４１４の各々は、それぞれ、その長手方向に延びる通路４１４１を有する。スリーブ４１４を接続して伸張物体４１を構成するとき、通路４１４１は互いに連通して、伸張物体４１の内側に連続的な連通空間４１３を形成する。更に他の実施形態において、伸張物体４１は、同様に剛性を有する他の種類の長い伸張可能な物体、例えば、任意の角度で曲げられて固定されることができるフレキシブルなグースネックチューブ(gooseneck  tube)である。伸張物体４１の所要の長さに依存して、グースネックチューブは、その全長を調節するよう相応して曲げられることができることにより、伸張物体４１の長さを調節するという目的を達成する。図６に示すように、もう１つの実施形態において、充電デバイス４の底端は、その長手方向において支持バー１０に更に接続され、支持バー１０は、充電デバイス４の長さをその長手方向において延ばすために用いられることができ、それは高い位置に設置される窓覆いを充電するのに適する。
【００８２】
図１を再び参照のこと。本発明の実施形態において、充電デバイス４は、導体４４を更に含み、導体４４は、伸張物体の長手方向において伸張物体を貫通する、伸張物体内に設けられる、或いは伸張物体に固定される、導体４４は、第１の端４４１と、第２の端４４２とを有し、導体４４の第１の端４４１は、伸張物体４１の第１の接続部分４１１に対応する場所に設けられるのに対し、導体４４の第２の端４４２は、伸張物体４１の第２の接続部分４１２に対応する場所に配置される。電力が導体４４に沿って第２の端４４２から第１の端４４１に送られるとき、それは伸張物体４１の長手方向において第２の接続部分４１２に対応する場所から第１の接続部分４１１に対応する場所に送られる。ある実施形態において、導体４４は、絶縁層内に包まれたワイヤ４４ａであることができ、ワイヤ４４ａは、伸張物体４１の外面に固定的に取り付けられることができ、或いは伸張物体４１の長手方向において（図２２及び図２８に示すように）伸張物体４１の内側の連通空間４１３内に設けられることができる。図４及び図５に示すように、他の実施形態において、導体４４は、伸張物体４１の連通空間４１３内に設けられる螺旋ワイヤ４４ａ２であることができる。伸張物体４１の長さを調節する間に、螺旋ワイヤ４４ａ２は、伸張物体４１の長さに依存して相対的に圧縮され或いは拡張させられることができる。更に他の実施形態において、コネクタ４４は、伸張物体４１の表面又は伸張物体４１の連通空間４１３の壁にめっきされた導電性ストリップであることができる。１つの実施形態では、導体及び伸張物体を組み合わせて１つの単一のコンポーネントにすることができ、導体の第１の端は伸張物体の第１の接続部分であり、導体の第２の端は伸張物体の第２の接続部分であり、電力は伸張物体に沿って第２の接続部分から第１の接続部分に送られることができる。
【００８３】
本発明の現在の実施形態において、蓄電デバイス４３は、伸張物体４１の第２の接続部分４１２に対応する位置に配置される導体４４の第２の端４４２に取り外し可能に連結される。代替的に、導体４４及び伸張物体４１が１つの単一のコンポーネントに組み合わせられるとき、蓄電デバイス４３は、伸張物体４１の第２の接続部分４１２に取り外し可能に接続される。蓄電デバイス４３は、電力を蓄えることができる持ち運び可能な電源又は電力を蓄えることができる蓄電池である。ある実施形態において、蓄電デバイス４３は、媒体として使用されるワイヤ４４ａを通じて導体４４の第２の端４４２又は第２の接続部分４１２に連結されるので、蓄電デバイス４３中の電力は、（図２２及び図２３に示すように）ワイヤ４４ａの第２の端４４ａ２又は第２の接続部分４１２に送られることができる。図７、図８、及び図２８に示すように、他の実施形態では、第１の電気コネクタ４９が、伸張物体４１の第２の接続部分４１２又は導体４４の第２の端４４２に連結され、第２の電気コネクタ５０が、蓄電デバイス４３に連結される。第１の電気コネクタ４９と第２の電気コネクタ５０とを連結することによって、蓄電デバイス４３中の電力は、伸張物体４１又は導体４４に送られることができる。現在の実施形態において、蓄電デバイス４３は、第２の接続部分４１２に近い位置で伸張物体４１内に収容される。更に、図９及び図１０に例示する場合に、蓄電デバイス４３は、図面中に見えないが、ケース２０内に収容され、ケース２０は、枢動可能な方法において伸張物体４１の代印の接続部分４１２に接続されることにより、伸張物体４１は、ケース２０に対して枢動させられて下向きに折り曲げられることができる。
【００８４】
ある実施形態において、第１の電気コネクタ４９及び第２の電気コネクタ５０は、互いに適合し(match)且つ対応する位置に配置されるピン(pin)及びピンソケット(pin  socket)であることができ、それにより、これらの２つのコンポーネントの間の連結は、ピンをピンソケットに差し込むことによって行われることができる。他の実施形態において、第１の電気コネクタ及び第２の電気コネクタは、互いに適合し且つ対応する位置に配置されるプラグ(plug)及びソケット(socket)であることができ、これらの２つのコンポーネントの間の連結は、プラグをソケットに挿入することによって行われることができるのは明らかである。更に他の実施形態において、第１の電気コネクタ及び第２の電気コネクタは、対応する場所に配置される導電性パッドであることができ、導電性パッドは、対応する導電性パッドを互いに接触させることによって互いに連結されることができる。各々の連結方法は、分離可能な又は分離不能な方法において実施されることができ、従って、蓄電デバイス４３及び第２の接続部分４１２（又は導体４４の第２の端４４２）は、相応して互いに分離されることができ、或いは分離されることができない。
【００８５】
図１１に示すように、ある実施形態において、蓄電デバイス４３は、少なくとも、第２の再充電可能な電池４３１と、第２の充電モジュール４３２とを含み、或いは、更に、第２の放電制御回路、第２の充電制御回路、第２の保護柄死魚回路、及び第２の切換回路を含み、第２の保護制御回路によって防止可能な状態は、過充電、過電圧、過放電、過負荷、過熱、及び短絡を含むが、これらに限定されない。第２の切換回路は、図面に示されていない。何故ならば、それは充電モジュールに関する周知の技法だからである。従って、それは本明細書で詳細に記載されない。そのような設計を用いるならば、蓄電デバイス４３が、図２８に示すように、商用電源(mains  electricity)に連結されるとき、商用電源は、蓄電デバイス４３を充電するために並びに充電手続きを制御するために使用されることができる。
【００８６】
図１に示すように、現在の実施形態において、電力出力部４２は、伸張物体４１の第１の接続部分４１１又は第１の接続部分４１１に対応する位置に配置される導体４４の第１の端４４１に連結される。ある実施形態において、電力出力部４２は、以下のコンポーネント、即ち、ピン、ピンソケット、コネクタ、プラグ、ソケット、及び導電性パッドなどのうちの少なくとも１つを含み、電力出力部４２に含まれる前記少なくとも１つのコンポーネントは、フレーム２１１内に設けられる電力入力部２２と適合し、対応する位置に配置される。電力入力部２２及び電力出力部４２が、ピンをピンソケットに挿入すること、コネクタを相応して係合させること、プラグをソケットに差し込むこと、又は導電性パッドを接触させることのように、適合し且つ対応するコンポーネントを係合させることによって接続されるとき、電力出力部４２の電力は、電力入力部２２に送られることができ、次に、電力入力部２２に連結される第１の充電モジュール２３２に送られることができ、それにより、電源デバイス２３の第１の再充電可能な電池２３１を充電することができる。前述の実施形態において、充電デバイスは、伸張物体４１に固定されることができる或いは伸張物体４１から一体的に延ばされることができる第２の端子台４６を更に含むことができ、電力出力部４２は、（図２１及び図２８に示すように）第２の端子台４６に固定的に設けられる。他の実施形態において、電力出力部４２は、送信器コイルモジュール４２１を含むことができ、送信器コイルモジュール４２１は、電力出力部４２に送られる電力を電磁信号に変換して、図４０に示すように、それらを送信することができる。電力入力部２２は、（図３９に示すような）受信器コイルモジュール２２１を含み、送信器コイルモジュール４２１によって送信される電磁信号は、電力入力部２２の受信器コイルモジュール２２１内の電力を含むことができ、誘起される電力は、第１の再充電可能な電池２３１を充電するために、第１の充電モジュール２３２に送られることができる。
【００８７】
本発明の実施形態において、充電システムは、更に、第１の固定構造と、第２の固定構造とを含み、第１の固定構造は、第１の接続部分４１１の近くで、充電デバイス４の伸張物体４１に固定され、第２の固定構造は、第１の固定構造に対応して、フレーム２１１に固定される。第１の固定構造及び第２の固定構造は、任意的に組み合わせ可能であり、第１の固定構造及び第２の固定構造が組み合わされるとき、充電デバイス４は、フレームに堅固に接続され且つフレームから吊り下がって、電力出力部４２から電力入力部２２に電力を提供することにより、電源デバイス２３の第１の再充電可能な電池２３１を充電することができる。第１の固定構造及び第２の固定構造を組み合わせることによって、充電デバイス４はフレーム２１１から吊り下がることができ、充電手続き中に手によって或いはいずれかの種類の支持体によって保持される必要はない。充電が完了すると、充電デバイス４をフレーム２１１から分離するために、第１の固定構造及び第２の固定構造は容易に分離させられることができる。そのときに、電力出力部４２は電力入力部２２に電力を提供するのを停止し、充電作業は完了する。
【００８８】
ある実施形態において、第１の固定構造は、係合部分４５を含み、係合部分４５は、伸張物体４１の第１の接続部分４１１に接続され、伸張物体４１の長手方向に対して実質的に垂直であるので、伸張物体４１及び係合部分４５は、逆「Ｌ」形状を実質的に形成する。電力出力部４２は、（図２１、図２８、図３１及び図４３に示すように）係合部分４５で固定される。電力入力部２２は、フレーム２１１上に固定的に設けられ、フレーム２１１は、外側プレート２１１１を更に有する。第２の固定構造は、ノッチ２１２を含み、ノッチ２１２は、フレーム２１１上に設けられ、フレーム２１１内に凹まされている。更に、ノッチ２１２は、外側プレート２１１１に形成される開口２１２１を有する。ノッチ２１２及び電力入力部２２の位置は、図１９、図２６及び図４２に示すように、互いに対応する。充電作業を開始するために、ユーザは、伸張物体４１の端を保持して、伸張物体４１をフレーム２１１に向かって移動させ、最終的に、係合部分４５を開口２１２１を通じてノッチ２１２に嵌入させることができる。このようにして、伸張物体４１は充電手続き中に手で保持される必要がなく、伸張物体４１はフレーム２１１に接続されたままであることができるので、充電デバイス４はフレーム２１１から吊り下がる。同時に、電力出力部４２は、電力出力部４２と接触するので、電力出力部４２は、電力入力部２２に電力を送って、充電作業を行うことができる。充電作業を終了させるために、ユーザは、伸張物体４１を移動させて、係合部分４５を開口２１２１から出させて、ノッチ２１２から外させることができる。結果的に、伸張物体４１はフレーム２１１から分離され、電力出力部４２と電力入力部２２との間の接触を中断させることにより、電力入力部２２への電力の提供を停止する。
【００８９】
図２１及び図２５に示すように、他の実施形態において、係合部分４５は、第１の磁性部材Ｍ１を備えることができ、ノッチ２１２は、第１の磁性部材Ｍ１に対応する場所に設けられる第２の磁性部材Ｍ２を有することができる。係合部分４５がノッチ２１２に嵌入されるとき、伸張物体４１は、第１の磁性部材Ｍ１と第２の磁性部材Ｍ２との間の相互の引力の故に、より堅固にフレーム２１１に接続されたままであることができる。図２６及び図３１に示すように、他の実施形態において、係合部分４５ａは、その底面に設けられた溝４５ａ１を有することができるのに対し、ノッチ２１２は、溝４５ａ１に対応する場所に形成されるフランジ２１２５を有することができる。溝４５ａ１及びフランジ２１２５を適合させることによって、伸張物体４１は、係合部分４５ａがノッチ２１２に嵌入されるときにより堅固にフレーム２１１に接続されたままであることができる。加えて、図１２及び図１９に示すように、更に他の実施形態では、弾性プレート５３が係合部分４５外面から突出するような方法において、弾性プレート５３が係合部分４５上に設けられることができる。弾性プレート５３が非拘束状態にあるときに、弾性プレート５３の輪郭はノッチ２１２の開口２１２１の幅よりも大きいので、弾性プレート５３が開口２１２１を貫通するとき、弾性プレート５３は開口２１２１の縁(margin)によって或いはノッチ２１２の壁によって圧縮され、従って、開口２１２１の縁によって或いはノッチ２１２の壁によって固定されるようになる。代替的に、開口２１２１がノッチ２１２よりも小さいとき、係合部分４５はノッチ２１２に入ることができ、弾性プレート５３は、先ず、開口２１２１によって圧縮され、次に、開口２１２１を貫通した後に、その非拘束状態に戻る。このようにして、弾性プレート５３は、ノッチに面する開口２１２１の周囲の表面を押す。このようにして、充電デバイス４の伸張物体４１は、フレーム２１１に接続されたままであることができる。適切な外力を加えて伸張物体４１をフレーム２１１から離れる方向に移動させると、弾性プレート５３は開口２１２１を貫通した後に外されることにより、伸張物体４１をフレーム２１１から分離することができる。現在の実施形態において、弾性プレート５３は、制御部材（図示せず）に更に接続されることができる。制御部材を使用して弾性プレート５３を内向きに圧搾することによって、係合部分４５はより容易に開口２１２１を通じてノッチ２１２に入ることができる。制御部材がひとたび引き戻されると、弾性プレート５３は外向きに膨らんで非拘束状態に戻り、開口２１２１又はノッチ２１２を押す。前述の構成において、弾性プレート５３は、係合部分４５を固定するためにノッチ２１２内に又は開口２１２１の周りに設けられることもできる。動作原理は上記説明と同じであるので、本明細書では詳細を記載しない。
【００９０】
ここでは、第１の接続部分４１１の近くの位置で伸張物体４１に接続される、以前の実施形態において述べた係合部分４５と同じである、係合部分４５ｄの他の実施形態が提供され、フレーム２１１は、相応してノッチ２１２も備える。図４２及び図４３に示すように、係合部分４５ｄは、開放端面４５ｄ１を有し、電力出力部４２は、開放端面４５ｄ１で固定的に設けられる。加えて、係合部分４５ｄは、ブロック部材４５ｄ２を有し、ブロック部材４５ｄ２は、係合部分４５ｄの径方向に形成され、係合部分４５ｄの外面から突出する。ノッチ２１２の開口２１２１の輪郭は、係合部分４５ｄの輪郭と一致する。開口２１２１は、更に、内壁２１２１１と、停止部材２１２１２とを有し、停止部材２１２１２は、開口２１２１の径方向において開口２１２１の内壁２１２１１から開口２１２１の中心に向かって形成される。ブロック部材４５ｄ２及び停止部材２１２１２が互い違いにされるとき、係合部分４５ｄは開口２１２１を通じてフレーム２１１内に配置されることができる。その後、伸張物体４１は、ブロック部材４５ｄ２及び停止部材２１２１２が開口２１２１の軸方向において少なくとも部分的に互いに重なり合うまで、更に回転させられることができる。このときに、ブロック部材４５ｄ２は停止部材２１２１２によって妨害（ブロック）されるので、係合部分４５ｄはフレーム２１１内に固定される。このようにして、係合部分４５ｄに固定的に設けられる電力出力部４２は、フレーム２１１に固定的に設けられる電力入力部２２と接触することができる。
【００９１】
第１の固定構造及び第２の固定構造を有する図２８及び図３０に示す実施形態において、充電デバイス４は、ホルダ４８を更に含み、ホルダ４８は、伸張物体４１の第１の接続部分４１１に接続される。電力出力部４２は、ホルダ４８に直接的に固定されることができ、或いは第２の端子台４６又は電力出力部４２若しくは第２の端子台４６を固定するために使用されることができる他の接続部材を通じてホルダ４８に間接的に固定されることができる。第１の固定構造は、ホルダ４８で固定的に設けられる第３の電磁部材Ｍ３を含むのに対し、第２の固定構造は、フレーム２１１で固定的に設けられる第４の電磁部材Ｍ４を含む。ホルダ４８がフレーム２１１に接近すると、第３の電磁部材Ｍ３及び第４の電磁部材Ｍ４は互いにくっつくので、充電デバイス４の伸張物体４１はフレーム２１１に接続されたままであり、電力出力部４２及び電力入力部２２は対応する位置に留まり或いは互いに電気的に接続される。それにより、電力は、電力出力部４２から電力入力部２２に提供されることができる。第３の磁性部材Ｍ３を第４の磁性部材Ｍ４から離させることによって、充電デバイス４の伸張物体４１はフレーム２１１から外されることができる。他の実施形態において、第３の磁性部材Ｍ３及び第４の磁性部材Ｍ４は、永久磁石でなくてよく、それらの一方に電流が流れると、それは他方を引く磁力を創り出す。例えば、第３の磁性部材Ｍ３が電磁石であるならば、第３の磁性部材Ｍ３は伸張物体４１の第１の接続部分４１１又は導体４４の第１の端４４１と連結されることができるので、蓄電デバイス４３が伸張物体４１又は導体４４を通じて電力出力部４２に電力を送るとき、蓄電デバイス４３は電磁石に電流も提供することにより、第４の磁性部材Ｍ４を引く磁力を創り出す。蓄電デバイス４３が電力出力部４２に電力を送るのを停止するや否や、電磁石に提供される電流は同時に停止され、それは電磁石の磁力を消滅させる。結果的に、第３の磁性部材Ｍ３は第４の磁性部材Ｍ４から分離させられることができ、従って、伸張物体４１及びフレーム２１１からも分離させられることができる。
【００９２】
加えて、第１の固定構造及び第２の固定構造を有する図３５及び図３６に示す実施形態において、第１の固定構造は、取付部分５２を含み、取付部分５２の端は、伸張物体４１に接続され、第１の接続部分４１１の近くにある。取付部分５２の他端は、取付端５２１である。第２の固定構造は、取付スロット２６を含み、取付スロット２６は、フレーム２１１上で固定される。好ましくは、取付スロット２６は、フレーム１１の外側プレート２１１１上に設けられることができる。取付端５２１を取付スロット２６に嵌入させて、フレーム２１１に接続される伸張物体４１を維持するとき、電力出力部４２及び電力入力部２２は対応する場所に留まるか或いは互いに接触し、それにより、電力出力部４２は電力入力部２２に電力を提供することができる。
【００９３】
前述の各実施形態における第１の固定構造及び第２の固定構造の実施は、本発明の限定でない。第１及び第２の固定構造は、上述と反対の方法において実施されることができ、或いは、任意的に、共に作動する前述の第１の固定構造のうちの１つよりも多くの種類及び前述の第２の固定構造のうちの１つ又はそれよりも多くの種類があり得る。更に、第１の固定構造及び第２の固定構造を任意的にフレーム及び伸張物体に対して係止又は係止解除することにより、伸張物体とフレームとの間のより堅固な係合をもたらすことができる。
【００９４】
図２及び図２６に示すように、本発明の実施形態において、電源デバイス２３は、第１のディスプレイユニット２３３を更に含むことができる。現在の実施形態において、第１のディスプレイユニット２３３は、第１のシート２１５又は一体的に形成されるハウジング２１上に設けられるものとして提示され、第１のディスプレイユニット２３３は、第１の充電モジュール２３２の第１の残留電力検出回路２３２１に連結される。第１のディスプレイユニット２３３は、ＬＥＤ又はデジタルディスプレイであり得るので、第１のディスプレイユニット２３３は、第１の残留電力検出回路２３２１の出力信号を表示するために使用されることができ、それにより、ユーザは第１の再充電可能な電池２３１の現在の残留電力を容易に確認することができ、或いは充電手続き中に再充電可能な電池２３１の充電プロセスを確認することができる。
【００９５】
図１３に示すように、他の実施形態において、第１のディスプレイユニット２３３は、伸張物体４１又は蓄電デバイス４３上に設けられることができる。第１のディスプレイユニット２３３は、第１の充電モジュール２３２の第１の残留電力検出回路２３２１に接続され、接続は、コネクタ間の連結を通じて構築されることができ、それにより、第１の残留電力検出回路２３２１の出力信号は、第１のディスプレイユニット２３３に送信されることができる。或いは、第１のディスプレイユニット２３３は、第１の残留電力検出回路２３２１が電力入力部２２に連結されている間に電力出力部４２に連結されることができることにより、第１の残留電力検出回路２３２１の出力信号を電力入力部２２に送信し、次に、電力入力部２２と電力出力部４２との間の連結を通じて第１のディスプレイユニット２３３に出力信号を送信することができる。このようにして、第１の再充電可能な電池２３１の残留電力の現在の状態を表示することができる。現在の実施形態では、第１のディスプレイユニット２３３及び第１の充電モジュール２３２の第１の残留電力検出回路２３２１を無線接続することができる。換言すれば、第１の残留電力検出回路２３２１を送信器に連結して出力信号を送信し、第１のディスプレイユニット２３３を受信器に連結して出力信号を受信する。次に、受信した出力信号をＬＥＤ信号又はデジタルディスプレイ信号に変換して、伸張物体４１又は蓄電デバイス４３に設けられる第１のディスプレイユニット２３３に表示する。
【００９６】
図１４に示すように、更に他の実施形態では、第１のディスプレイユニット２３３を第１のディスプレイデバイスＤ１に固定されることができ、第１のディスプレイデバイスＤ１を、壁、遠隔制御装置、又は携帯電話のような他の携帯型デバイスに配置することのように、フレーム２１１、ハウジング２１、及び充電デバイス４以外の場所に設けることができるので、ユーザは第１の再充電可能な電池２３１の全ての種類の電力状態を容易に確認することができる。第１のディスプレイユニット２３３を第１の充電モジュール２３２の第１の残留電力検出回路２３２１に連結又は無線接続して信号を送信することにより、第１の再充電可能な電池２３１の現在の残留電力を表示することができる。
【００９７】
図１１、図１５及び図１６に示すように、本発明の実施形態において、蓄電デバイス４３は、第２のディスプレイユニット４３３を更に含むことができ、第２のディスプレイユニット４３３は、第２の充電モジュール４３２の第２の残留電力検出回路４３２１に連結されることにより、第２のディスプレイユニット４３３は、蓄電デバイス４３の検出される現在の残留電力を表示することができる。第１のディスプレイユニット２３３と同様に、第２のディスプレイユニット４３３は、ＬＥＤ又はデジタルディスプレイであり得る。第２のディスプレイユニット４３３は、（図１５に示すように）伸張物体４１で、或いは（図１６に示すように）第２のディスプレイデバイスＤ２で、（図１１及び図２９に示すように）蓄電デバイス４３に設けられることができ、第２の残留電力検出回路と第２のディスプレイユニット４３３との間の信号送信は、連結又は無線通信を通じて行われることができる。
【００９８】
図１１、図１５、図１６、図２４及び図２９に示すように、本発明の実施形態では、外部電源から電力を提供することによって、蓄電デバイスを充電することができ、蓄電デバイス４３の第２の再充電可能な電池４３１を充電すれるために、外部電源は第２の充電モジュール４３２に連結される。ある実施形態において、外部電源は、蓄電デバイス４３の第２の再充電可能な電池４３１を充電するために第２の充電モジュール４３２に連結される、直流電源であり得る。他の実施形態において、外部電源は、同様に蓄電デバイス４３の第２の再充電可能な電池４３１を充電することができるＡＣ／ＤＣ変圧器Ｔ１によって創り出される電源であり得る。
【００９９】
上記実施形態に記載するコンポーネント及び例示する実施をそれぞれ選択し且つ組み合わせて本発明を実行することができる。以下の段落では、幾つかの実際的な実施形態を記載する。しかしながら、これらの実施形態は、本発明の着想を説明するために例示されており、限定とみなされるべきでない。
【０１００】
本発明の第１の実施形態の充電システムを使用して充電作業を実行する実施が図１７乃至図２５に例示されている。電気窓覆い２は、少なくとも、ハウジング２１と、電力入力部２２と、電源デバイス２３と、電動アセンブリ２４とを含む。その場合、ハウジング２１は、電力入力部２２を収容するように構成されるフレーム２１１と、電源デバイス２３を収容するように構成される第１のシート２１５と、電動アセンブリ２４を収容するように構成される第２のシート２１６とを含む。電源デバイス２３は、それぞれ、電力入力部２２及び電動アセンブリ２４に連結され、電源デバイス２３は、電動アセンブリ２４によって必要とされる電力を提供するために使用される。
【０１０１】
ノッチ２１２及びカバープレート２１３がハウジング２１に設けられ、フレーム２１１は、外側プレート２１１１と、第１の端子台２１１２とを含む。ノッチ２１２は、外側プレート２１１１に形成される開口２１２１を有し、ノッチ２１２は、開口２１１１からフレーム２１１の内側に向かう方向においてフレーム２１１内に凹まされる。カバープレート２１３は、外側プレート２１１１に枢動的に接続され、開口２１２１の近くにあるので、カバープレート２１３が外側プレート２１１１に対して枢動するとき、開口２１２１を現し或いは覆うことができる。第１の端子台２１１２は、ノッチ２１２内に固定され、ノッチ２１２は、ノッチ２１２の内側底面２１２３に設けられる第１の磁性部材Ｍ１を追加的に有する。電力入力部２２は、第１の端子台２１１２に固定される。
【０１０２】
本発明の第１の実施形態が適用される現在の実施において、フレーム２１１、第１のシート２１５、及び第２のシート２１６は、一体的に形成されるハウジング２１として提示されており、フレーム２１１の外側プレート２１１１は、ハウジング２１の外側プレートであり、カバープレート２１３は、ハウジング２１に枢動的に接続される外側プレートである。ハウジング２１は、更に、バネ２１４を含むことができ、バネ２１４は、その１つの端でノッチ２１２の内側頂壁２１２２を押し、その他の端でカバープレート２１３の内壁２１３１を押す。そのような設計を用いるならば、カバープレート２１３がノッチ２１２に向かって枢動させられて、開口２１２１を見せるときに、バネ２１４は捩られてエネルギを蓄積する。カバープレート２１３が外力によって枢動させられず、自由な状態にあるとき、バネ２１４は、蓄積したエネルギを放出してカバープレート２１３を枢動させることにより、開口２１２１を覆う。
【０１０３】
図１に示すように、電源デバイス２３は、少なくとも、第１の再充電可能な電池２３１と、第１の充電モジュール２３２とを含み、第１の再充電可能な電池２３１は、第１の充電モジュール２３２及び電動アセンブリ２４にそれぞれ連結されるのに対し、第１の充電モジュール２３２は、電力入力部２２に連結される。現在の実施において、第１の再充電可能な電池２３１及び第１の充電モジュール２３２は、フレーム２１１内に便利に収容されるよう、一体的に組み合わせらされる。
【０１０４】
図２０乃至２５に示すように、充電デバイス４は、少なくとも、伸張物体４１と、電力出力部４２と、蓄電デバイス４３と、導体４４と、係合部分４５と、第２の端子台４６とを含む。伸張物体４１は、剛性を有する中空チューブであるので、伸張物体４１は、その長手方向において直立することができる。伸張物体４１は、その長手方向において、第１の接続部分４１１と、第２の接続部分４１２とを備え、伸張物体４１の長手方向における伸張物体４１の内側には連通空間４１３がある。係合部分４５は、伸張物体４１の第１の接続部分４１１に接続され、係合部分４５は、伸張物体４１の長手方向に対して実質的に垂直である。電力出力部４２は、第２の端子台４６に固定的に設けられ、第２の端子台４６は、係合部分４５に固定されるので、電力出力部４２は、係合部分４５にも固定される。第２の端子台４６は、第２の磁性部材Ｍ２を更に備える。第２の端子台４６が係合部分４５に配置されるとき、第２の磁性部材Ｍ２は、係合部分４５の底面に配置され、ノッチ２１２の内側底面２１２３に固定的に設けられる第１の磁性部材Ｍ１に対応する。
【０１０５】
図２３及び図２４に示すように、蓄電デバイス４３は、少なくとも、（図１１に示すような）第２の再充電可能な電池４３１及び第２の充電モジュール４３２を含み、第２の再充電可能な電池４３１は、第２の充電モジュール４３２に連結されることができ、第２の充電モジュール４３２は、変圧器Ｔ１に連結されることができる。変圧器Ｔ１のための電源は、商用電源であることにより、商用電源は、変圧器Ｔ１を通じて充電手続きのための電源に変換されることができる。このようにして、第２の充電可能な電池４３１を充電するために、第２の充電モジュール４３２に電力を提供することができる。
【０１０６】
図２２及び図２３に示すように、現在の実施形態では、導電性(electrical  conductivity)を有する導体がワイヤ４４ａとして提示される。ワイヤ４４ａは、連通空間４１３を貫通して、伸張物体４１内に提供され、ワイヤ４４ａは、第１の端４４ａ１と、第２の端４４ａ２とを有する。その場合、ワイヤ４４ａの第１の端４４ａ１は、伸張物体４１の第１の接続部分４１１に対応する場所に設けられ、第２の端４４ａ２は、伸張物体４１の第２の接続部分４１２に対応する場所に設けられる。ワイヤ４４ａの第１の端４４ａ１は、電力出力部４２に連結され、第２の端４４ａ２は、蓄電デバイス４３の第２の再充電可能な電池４３１に連結されるので、第２の再充電可能な電池４３１は、ワイヤ４４ａの導電性を通じて伸張物体４１の長手方向において電力出力部４２に電力を送ることができる。
【０１０７】
図１７乃至図２５に示すように、ユーザが第１のシート２１５内に設けられる電源デバイス２３の第１の再充電可能な電池２３１を充電することを欲するときには、先ず、伸張物体４１がフレーム２１１に向かって移動させられなければならない。充電デバイス４の係合部分４５でカバープレート２１３を押すことによって、カバープレート２１３はノッチ２１２の内側に向かって枢動し、それはノッチ２１２の開口２１２１を露わにする。同時に、係合部分４５は、ノッチ２１２内に嵌入されるよう、開口２１２１を通じてノッチ２１２に入ることができる。その後、充電デバイス４は、伸張物体４１の端に設けられる係合部分４５を使用して、電気窓覆い２のノッチ２１２と係合させられるようになることにより、フレーム２１１に接続されたままであり、フレーム２１１から吊り下がる。その間に、係合部分４５の底面に配置される第２の磁性部材Ｍ２及びノッチ２１２の内側底面２１２３固定的に設けられる第１の磁性部材Ｍ１も互いにくっつき、それにより、充電デバイス４とフレーム２１１との間の接続の堅固さ(firmness)を更に保証する。
【０１０８】
より詳細には、係合部分４５がノッチ２１２に嵌入するとき、係合部分４５に固定的に設けられる電力出力部４２は、ノッチ２１２に固定的に設けられる電力入力部２２と接触することにより、電気接続を形成することができる。ワイヤ４４ａの第２の端４４ａ２に連結される第２の再充電可能な電池４３１が、ワイヤ４４ａを通じてワイヤ４４ａの第１の端４４ａ１に連結される電力出力部４２に電力を送るとき、電力出力部４２は、（図１に示すような）電力入力部４２を通じて第１の充電モジュールに電力を送ることにより、電源デバイス２３の第１の再充電可能な電池２３１を充電することができる。
【０１０９】
充電手続きを完了するために、充電デバイス４の伸張物体４１は、フレーム２１１から離れる方向に移動させられるべきであるので、係合部分４５は、ノッチ２１２から外れるように開口２１２１を通じて外向きに移動させられることができる。同時に、係合部分４５の第２の電磁部材Ｍ２も、第１の磁性部材Ｍ１から離れる。更に、係合部分４５に固定的に設けられる電力出力部４２は、ノッチ２１２の電力入力部２２にもはや電気的に接続されないことにより、第１の充電モジュールに電力を送るのを停止する。係合部分４５がひとたびノッチ２１２から完全に外れると、カバープレート２１３は、バネ２１４が捩られる間に蓄積され、今やバネ２１４から放出される、エネルギによって、駆動させられる。換言すれば、バネ２１４は、カバープレート２１３をノッチ２１２の外部に向かって移動させて、開口２１２１を覆う。
【０１１０】
前述の電気窓覆い２は、電源デバイス２３を備え、電源デバイス２３は、普通の状態において電動アセンブリ２４に電力を提供するように構成され、或いは、電動アセンブリ２４の作動を制御するために使用される遠隔制御装置（図示せず）に電力を提供するようにさえも構成される。電源デバイス２３中に蓄えられる電力が減少するか或いは不十分であるならば、剛性を有する伸張物体４１を使用して充電デバイス４をフレーム２１１に向かって移動させることにより、充電デバイス４をフレーム２１１に接続することができる。係合部分４５をノッチ２１２に嵌入させることによって、充電デバイス４は、フレーム２１１に接続されたままであり、フレーム２１１から吊り下げられたままであり、充電デバイス４の位置は、如何なる支持的な外力をも必要とせずに、維持されることができる。同時に、充電デバイス４の電力出力部４２は、フレーム２１１内に設けられる電力入力部２２と接触することにより、蓄電デバイス４３内に蓄えられる電力は、伸張物体４１の長手方向に設けられるワイヤ４４ａを通じて電力出力部４２に送られることができ、電力入力部２２にも送られることができる。このようにして、第１の再充電可能な電池２３１を充電するために、電源デバイス２３の第１の充電モジュール２３２に電力を送ることができる。
【０１１１】
本発明の充電システムを用いるならば、ユーザは、電気窓覆いを充電するために高い位置に到達するよう、如何なる梯子のような補助的なツールをも必要としない。代わりに、ユーザは単に普段通り電気窓覆い２の下に立って、充電デバイス４の伸張物体４１の長手方向が上を指す状態で、充電デバイス４の伸張物体４１を電気窓覆い２のフレーム２１１に向かって移動させることができる。充電デバイス４がフレーム２１１と接続された後に、充電デバイス４は、フレーム２１１に設けられる電力入力部２２に電力を提供することができ、電力は、充電手続きのために必要とされる電力として電源デバイス２３に送られる。このとき、充電デバイス４は、たとえ保持されていない或いは支持されていないとしても、フレーム２１１に接続されたままであるので、充電手続きは続くことができる。電源デバイス２３が充電手続きを完了させるとき、ユーザは、依然として普段通りに電気窓覆いの下に立って、充電デバイス４をフレーム２１１から離れる方向に移動させ、それらの間の接続を断つ必要があるだけである。換言すれば、ユーザは、高い位置に到達するために如何なる補助的なツールを使用することも必要とせずに、電気窓覆い２の電源デバイス２３を充電することができる。更に、充電がひとたび完了すると、充電デバイス４は、単に移動させることによって、フレーム２１１から外されることができ、それは、充電デバイス４によってフレーム２１１に対して加えられる下向きの引張力を無くす(dismiss)ことにより、フレーム２１１が力によって変形させられるのを防止することができる。
【０１１２】
本発明の第２の実施形態の充電システムを使用して充電作業を行う実施が図２６乃至図３０に例示されている。電気窓覆いは、少なくとも、ハウジング２１と、電力入力部２２と、電源デバイス２３と、電動アセンブリ２４とを含む。第１の実施形態についての前述の実施の設計と同様に、ハウジング２１は、フレーム２１１と、第１のシート２１５と、第２のシート２１６とを含み、電力入力部２２は、フレーム２１１に設けられ、電源デバイス２３は、電力入力部２２及び電動アセンブリにそれぞれ連結されるので（図示せず）、電源デバイス２３は、電動アセンブリ２４のために必要とされる電力を提供することができる。
【０１１３】
ノッチ２１２が、フレーム２１１に更に設けられ、フレーム２１１は、外側プレート２１１１と、第１の端子台２１１２とを有する。ノッチ２１２は、外側プレート２１１１に形成される開口２１２１も有する。電力入力部２２は、第１の端子台２１１２に固定され、第１の端子台２１１２は、ノッチ２１２の内面２１２４に固定される。外側プレート２１１１は、開口２１２１の側にある位置にあるその内面に設けられる第３の磁性部材Ｍ３を少なくとも有する。現在の実施形態において、外側プレート２１１１は、２つの第３の磁性部材Ｍ３を有し、それらの各々は、開口２１２１の２つの側の各々にある外側プレート２１１１上の場所にそれぞれ設けられる。
【０１１４】
電源デバイス２３は、少なくとも、（図１に示すものと同じ）第１の再充電可能な電池２３１及び第１の充電モジュール２３２を含む。現在の実施形態において、第１の再充電可能な電池２３１及び第１の充電モジュール２３２は、フレーム２１１内で便利に組み立てられるために、１つの単一の電源デバイス２３として一体的に組み合わせられる。電源デバイス２３は、電力入力部２２及び電動アセンブリ２４にそれぞれ連結される。現在の実施形態において、電源デバイス２３は、第１のディスプレイユニット２３３を更に含み、第１のディスプレイユニット２３３は、第１のシート２１５上に固定的に設けられ、第１の充電モジュール２３２に連結されることにより、電源デバイス２３の現在の残留電力を表示する。
【０１１５】
充電デバイス４は、少なくとも、伸張物体４１と、電力入力部２２と、蓄電デバイス４３と、導体４４と、係合部分４５と、第２の端子台４６と、ホルダ４８とを含む。
【０１１６】
伸張物体４１は、剛性を有する中空チューブであるので、伸張物体４１は、その長手方向において直立することができる。伸張物体４１は、その長手方向において第１の接続部分４１１及び第２の接続部分４１２を含み、伸張物体４１の長手方向において伸張物体４１の内側に設けられた連通空間４１３がある。現在の実施形態において、係合部分４５ａは、伸張物体４１の第１の接続部分４１１に接続され、電力入力部２２は、第２の端子台４６に固定的に設けられ、第２の端子台４６は、係合部分４５ａに固定されるので、電力出力部４２は、係合部分４５ａに対して固定的に設けられる。ホルダ４８は、係合部分４５ａの底に固定され、ホルダ４８は、２つのウイング４８１（翼部）を有し、それらの各々は、ホルダ４８の一方の側からそれぞれ延びる。第４の磁性部材Ｍ４が、電力出力部４２と平行であり且つ電力出力部４２と同じ方向にあるウイング４８１の側面に固定的に設けられる。第３の磁性部材Ｍ３及び第４の磁性部材Ｍ４は、対応して設けられる。
【０１１７】
ワイヤ４４ａとして提示される導体４４が、伸張物体４１を貫通して、伸張物体４１内に設けられる。ワイヤ４４ａの第１の端４４ａ１は、伸張物体４１の第１の接続部分４１１の近くの場所に設けられ、第２の端４４ａ２は、伸張物体４１の第２の接続部分４１２の近くの場所に設けられる。ワイヤ４４ａの第１の端４４ａ１は、電力出力部４２に連結され、第２の端４４ａ２は、蓄電デバイス４３に連結される。現在の実施形態において、ワイヤ４４ａの第２の端４４ａ２は、第１の電気コネクタ４９に更に連結され、蓄電デバイス４３は、第２の電気コネクタ５０に連結され、それは第２の電気コネクタ５０が蓄電デバイス４３の第２の再充電可能な電池（図示せず）に連結されることを意味する。それにより、第１の電気コネクタ４９が第２の電気コネクタ５０と組み合わせられ、第２の電気コネクタ５０と電気的に接続されるとき、蓄電デバイス４３の電力は、ワイヤ４４ａの導電性を通じて伸張物体４１の長手方向において電力出力部４２に送られることができる。
【０１１８】
蓄電デバイス４３は、（図１１に示す第２の充電モジュールと同じ）第２の充電モジュール（図示せず）を更に含み、第２の充電モジュールは、商用電源と連結されるときに蓄電デバイス４３を充電するように構成される。蓄電デバイス４３は、第２のディスプレイユニット４３３を更に含むことができ、第２のディスプレイユニット４３３を第２の充電モジュールに連結して、蓄電デバイス４３の現在の残留電力を表示する。
【０１１９】
電源デバイス２３を充電するために、ユーザは、ノッチ２１２に嵌入されるよう開口を通じて係合部分４５をノッチ２１２内に移動させるために、伸張物体４１を下からフレーム２１１に接近させる。このとき、充電デバイス４は、フレーム２１１に接続されたままであることができ、フレーム２１１から吊り下がったままであることができる。同時に、第２の端子台４６に設けられ且つ係合部分４５に対して移動不能である電力出力部４２は、第１の端子台２１１２に固定的に設けられ且つノッチ２１２の内面２１２４に対して移動不能な電力入力部２２と組み合わせられることができ、そのような電力入力部２２に挿入させられることができる。結果的に、電力出力部４２を電力入力部２２に電気的に接続させることができる。他方、ホルダ４８の２つの側にあるウイング４８１に固定される第４の磁性部材Ｍ４は、フレーム２１１の外側プレート２１１１に固定される第３の磁性部材Ｍ３を引き、それにより、充電デバイス４は、フレーム２１１により堅固に接続させられることができる。
【０１２０】
充電デバイス４がフレーム２１１に接続されたままであるとき、並びに、電力入力部２２が電力出力部４２に電気的に接続されるとき、蓄電デバイス４３の電力は、電源デバイス２３を充電するために、伸張物体４１内のワイヤ４４ａを通じて電力出力部４２に、フレーム２１１に設けられる電力入力部２２に、そして、電源デバイス２３に送られることができる。充電手続きの間に、（図２に示す第１の充電モジュールと同じ）第１の充電モジュール２３２は、第１の再充電可能な電池２３１の現在の残留電力を常に検出することができ、関連する情報を第１のディスプレイユニット２３３に表示することができる。蓄電デバイス４３の残留電力が減少すると、（図１１、図１６及び図１７に示す蓄電デバイスと同じ）蓄電デバイス４３の第２の充電モジュール４３２も、蓄電デバイス４３の残留電力を常に検出し、便利な検査のために関連する情報を第２のディスプレイユニット４３３に表示することができる。
【０１２１】
電源デバイス２３が充電手続きを完了すると、ユーザが伸張物体４１をフレーム２１１から離れる方向に移動させる。その間に、第４の磁性部材Ｍ４も、係合部分４５と共に外向きに移動させられるように第３の磁性部材Ｍ３から分離され、電力出力部４２も、もはや電力入力部２２と電気的に接続されない。最終的に、係合部分４５はノッチ２１２との嵌合から外され、伸張物体４１はフレームから分離される。そのときまでに、再充電可能な電池の充電手続きは完了させられている。
【０１２２】
本発明の第３の実施形態の充電システムを使用して充電作業を行う実施が図２６、図３１及び図３２に例示されている。現在の実施の構造的な構成は、前述の実施の構造的な構成と基本的に同じである。従って、この部分は更に詳細に記載されない。現在の実施形態と前述の実施形態との間の相違は、係合部分４５ａが、その底面に形成された溝４５ａ１を有し、ノッチ２１２が、その底面に形成されたフランジ２１２５を有することである。係合部分４５ａが開口２１２１を貫通してノッチ２１２に入ると、ユーザは係合部分４５ａを僅かに下向きに移動させて、水４５ａ１をフランジ２１２５の周りに適合させることができ、それにより、充電デバイス４をフレーム２１１に堅固に接続させることができる。
【０１２３】
本発明の第４の実施形態を使用して充電作業を行う実施が図３３及び図３４に例示されている。現在の実施の構造的な構成は、電力入力部２２がフレーム２１１の外側プレート２１１１の外面に固定され、電力入力部２２の近くの外側プレート２１１１の内面にある位置に固定的に設けられる第５の磁性部材Ｍ５がある点を除き、本発明の第２の実施形態を用いる実施の構造的な構成と基本的に同じである。現在の実施形態では、他の設計を用いる係合部分４５ｂも開示されており、係合部分４５ｂは、それが伸張物体４１の第１の接続部分４１１１から分離不能である方法において設けられる。充電デバイス４は、振動吸収部材５１を更に含み、振動吸収部材５１は、その２つの端で伸張物体４１の第１の接続部分４１１及び係合部分４５ｂにそれぞれ接続される。従って、係合部分４５ｂは、振動吸収部材５１を通じて第１の接続部分４１１に間接的に接続される。電力出力部４２は、係合部分４５ｂに固定され、係合部分４５ｂは、第５の磁性部材Ｍ５に対応する電力出力部４２の近くのその上の場所で固定的に設けられる第６の磁性部材Ｍ６を有する。ワイヤ４４ａの第１の端４４ａ１は、電力出力部４２に連結されるよう振動吸収部材５１を通過する。
【０１２４】
電源デバイス２３を充電するために、ユーザが充電デバイス４を移動させて係合部分４５ｂに固定される第６の磁性部材Ｍ６及びフレーム２１１の外側プレート２１１１に固定される第５の磁性部材Ｍ５をそれぞれ引き付けさせ、それにより、充電デバイス４をフレーム２１１に接続することができる。このとき、係合部分４５ｂに固定される電力出力部４２は外側プレート２１１１に固定される電力入力部２２と接触するので、電力出力部４２に送られる電力は電力入力部２２に更に送られ、それにより、電源デバイス２３を充電することができる。充電手続きの間に、誰かが充電デバイス４に偶発的に衝突するならば、その衝撃は振動吸収部材５１によって吸収され、従って、充電デバイス４は、充電デバイス４の係合部分４５ｂとフレーム２１１との間の接続の堅固さに影響を与えずに、フレーム２１１に対して揺動させられるだけである。
【０１２５】
本発明の第５の実施形態を使用して充電作業を行う実施が図３５乃至図３７に例示されており、電力入力部２２はフレーム２１１の外側プレート２１１１の外面に固定される。現在の実施と前述の実施との間の主要な相違は、電力入力部２２の近くのフレーム２１１の外側プレート２１１１の外面にある位置に設けられる第７の磁性部材Ｍ７及び取付スロット２６があることである。他の設計の係合部分４５ｃが伸張物体４１の第１の接続部分４１１に接続され、取付部分５２が係合部分４５ｃの頂部に接続されるので、外向き及び下向きに延びる取付端５２１が係合部分４５ｃの頂部に形成される。加えて、第８の磁性部材Ｍ８が係合部分４５ｃに設けられ、電力出力部４２の近くにあり、取付端５２１及び取付スロット２６は対応して設けられ、第７の磁性部材Ｍ７及び第８の磁性部材Ｍ８は対応して設けられる。
【０１２６】
電源デバイス（図示せず）を充電するために、ユーザは充電デバイス４の伸張物体４１をフレーム２１１に接近させ、取付部分５２の取付端５２１を取付スロット２６に嵌入させる。このとき、係合部分４５ｃに固定される第８の磁性部材Ｍ８及びフレーム２１１に固定される第７の磁性部材Ｍ７は互いにくっつくので、充電デバイス４の伸張物体４１はフレーム２１１に接続されることができ、フレーム２１１から吊り下がることができる。充電デバイス４及びフレーム２１１が接続されたままであるとき、係合部分４５ｃに固定される電力出力部４２はフレーム２１１の外側プレート２１１１の外面に固定される電力入力部２２と接触し、それにより、充電デバイス４からの電力を電力入力部２２に送り、電源デバイスを充電することができる。
【０１２７】
本発明の第６の実施形態の充電システムを使用して充電作業を行う実施が図３８乃至図４１に例示されており、充電デバイス４は、係合部分４５ｃに接続される取付部分５２の取付端５２１をフレーム２１１に固定される取付スロット２６に嵌入させることによって、フレーム２１１に接続されることができ、フレーム２１１から吊り下がることができる。現在の実施形態と前述の実施形態との間の相違は、フレーム２１１に設けられる電力入力部２２が、フレーム２１１の外側プレート２１１１の内面に固定される受信器コイルモジュール２２１を含むことである。受信器コイルモジュール２２１は、電源デバイス（図示せず）に連結され、受信器コイルモジュール２２１は、受信器コイルモジュール２２１内で電力を誘起し得る電磁信号を受信することができ、それにより、誘起される電力を充電手続きのために電源デバイスに提供することができる。充電デバイス４の電力出力部４２は、送信器コイルモジュール４２１を含み、送信器コイルモジュール４２１は、電力を送るように構成されるワイヤ４４ａ又は伸張物体４１に連結される。従って、蓄電デバイス４３の電力が送信器コイルモジュール４２１に送られるとき、電力は送信されるべき電磁信号に変換されることができる。
【０１２８】
電源デバイス４３を充電することが必要とされるとき、従って、充電デバイス４がフレームから吊り下がるようフレーム２１１に接続されるとき、係合部分４５ｃに固定される送信器コイルモジュール４２１及びフレーム２１１に固定される受信器コイルモジュール２２１は、電磁信号感知可能になるのに十分な程に近いので、送信器コイルモジュール４２１によって送信される電磁信号は、受信器コイルモジュール２２１内で電力を誘起することができ、次に、誘起される電力は、充電手続きを行うために電源デバイス２３に送られることができる。
【０１２９】
現在の実施形態において、電力は、電磁誘導を通じて充電デバイス４の電力出力部４２とフレーム２１１に設けられる電力入力部２２とのアイに送られることができる。従って、電力出力部４２及び電力入力部２２は、充電デバイス４の係合部分４５ｃ及びフレーム２１１の内部にそれぞれ固定されることができる。電力出力部４２及び電力入力部２２が電磁信号感知可能な距離になるのに十分な程に近いとき、電力は電力出力部及び電力入力部の間の物理的な接触を伴わずに送られ、それにより、使用の便利さを増大させることができる。
【０１３０】
本発明の第７の実施形態を使用して充電作業を行う実施が図４２乃至図４６に例示されている。現在の実施と前述の実施との間の相違は、伸張物体４１の第１の接続部分４１１に接続される他の種類の設計を備える係合部分４５ｄがあることである。係合部分４５ｄは、平面的な、拡張させられた、又は凹まされた開放端面４５ｄ１を有する。現在の実施形態において、開放端面４５ｄ１は、円形溝４５ｄ１１を形成するよう凹まされる。電力出力部４２は、円形溝４５ｄ１１内に固定的に設けられる。ブロック部材４５ｄ２が係合部分４５ｄの径方向に形成され、係合部分４５ｄの外面から突出する。ノッチ２１２はフレーム２１１に固定的に設けられ、外側プレート２１１１にあるノッチ２１２によって形成される開口２１２１の形状は、係合部分４５ｄの輪郭に対応する。開口２１２１は、内壁２１２１１と、内壁２１２１１からその径方向においてその中心に向かって形成される停止部材２１２１２とを有する。フレーム２１１は、他の種類の設計を備える第１の端子台２１１２ｄを有し、電力入力部２２は、第１の端子台２１１２ｄに固定的に設けられ、第１の端子台２１１２ｄは開口２１２１に対応し、第１の端子台２１１２ｄ及び円形溝４５ｄ１１も対応して設けられるので、第１の端子台２１１２ｄは円形溝４５ｄ１１内に配置されることができる。
【０１３１】
電源デバイス（図示せず）を充電するために、ユーザは伸張物体４１を移動させ、係合部分４５ｄのブロック部材４５ｄ２及び開口２１２１の停止部材２１２１２が互い違いになる(stagger)方法において伸張物体４１を駆動させるので、係合部分４５ｄは開口２１２１及びノッチ２１２を通じてフレーム２１１内に配置されることができる。このときに、第１の端子台２１１２ｄも円形溝４５ｄ１１内に配置される。加えて、円形溝４５ｄ１１内に固定的に設けられる電力出力部４２及び第１の端子台２１１２ｄに固定的に設けられる電力出力部４２も互い違いになる。伸張物体４１を更に回転させることによって、ブロック部材４５ｄ２は、ブロック部材４５ｄ２が停止部材２１２１２の背後になる或いは部分的に背後になる位置まで移動させられることができるので、ブロック部材４５ｄ２は停止部材２１２１２によって停止させられ、係合部分４５ｄはこのようにしてフレーム２１１に固定される。それにより、充電デバイス４は、フレーム２１１に堅固に固定されることができる。このときに、円形溝４５ｄ１１内に固定的に設けられる電力出力部４２は、第１の端子台２１１２ｄに固定的に設けられる電力入力部２２と接触するので、電力出力部４２に送られる電力は、電力入力部２２に送られて、電源デバイス２３を充電することができる。
【０１３２】
電源デバイス２３を充電するのを停止するために、ユーザは伸張物体４１を反対方向に駆動させて、係合部分４５ｄのブロック部材４５ｄ２及び開口２１２１の停止部材２１２１２を再び互い違いにさせる。このようにして、係合部分４５ｄを、開口２１２１を通じてフレーム２１１から外し、第１の端子台２１１２ｄ及び円形溝４５ｄ１１を分離することができる。このときに、電力出力部４２は、もはや電力入力部２２と電気的に接続されない。従って、電力出力部４２は、電力入力部２２に電力を提供するのを停止することができる。
【０１３３】
現在の実施形態において、係合部分４５ｄの軸方向に延びるブロック部材４５ｄ２は、その後方側に設けられる係合溝４５ｄ３を有し、係合溝４５ｄ３の幅は、開口２１２１の停止部材２１２１２の厚さに対応する。それにより、ブロック部材４５ｄ２が停止部材２１２１２と部分的に又は完全に重なり合うとき、停止部材２１２１２は係合溝４５ｄ３内に部分的に又は完全に係入させられることができる。このようにして、係合溝４５ｄ３は、停止部材２１２１２が係合部分４５ｄの軸方向に移動させられるのを防止することができる。
【０１３４】
本発明の充電システムを備える電気窓覆いの方法が図４７に例示されており、電気窓覆いは、少なくとも、電力入力部と、再充電可能な電源デバイスと、電源窓覆いの動作を制御するように構成される電動アセンブリとを含む。電力入力部はフレームに設けられ、電源デバイスに連結される。電源デバイスは、電動アセンブリに電力を提供するために電動アセンブリに連結される。方法のステップは、以下を含む。
【０１３５】
ステップＳ２：電動窓覆いのための充電システムを提供する。充電システムは、充電デバイスを含み、充電デバイスは、少なくとも、その長手方向において直立する伸張物体を含む。伸張物体は、その長手方向において設けられる第１の接続部分及び第２の接続部分を有する。
【０１３６】
ステップＳ４：伸張物体を移動させて、伸張物体の第１の接続部分をフレームに接近させることにより、充電デバイスがフレームに固定された状態に維持し、フレームから吊り下がった状態に維持する。
【０１３７】
ステップＳ６：電源デバイスを充電するために、第２の接続部分に接続される蓄電デバイスから第１の接続部分に提供される電力出力部に電力を送り、電力入力部に電力を提供する。
【０１３８】
ステップＳ８：充電を完了する。
【０１３９】
実際には、電源デバイスをディスプレイに接続することにより、ディスプレイを通じて電源デバイスの現在の残留電力を示すことができる。従って、ステップＳ２を取る前に、ディスプレイに示される情報を使用して、（図４８に示すように）ステップＳ２を取ることが必要とされるか否かを決定することができる。代替的に、ディスプレイを代わりに充電デバイスに接続することができ、それにより、ステップＳ４を取った後に、電源デバイスの現在の残留電力をディスプレイに示すことができ、それは（図４９に示すように）更なるステップＳ６を取ることが必要とされるか否かを決定するための基礎として使用されることができる。
【０１４０】
追加的に、ステップＳ２において、必要に応じて伸張物体の長さをその長手方向において調節することができる。より具体的には、電気窓覆いのハウジング又はフレームが配置される場所の高さに従って伸張物体の長さを変更することができ、従って、充電手続きを容易に行うことができる。加えて、ステップＳ６とステップＳ８との間で、ユーザはディスプレイ上に示される情報を使用して、（図５０に示すように）ステップＳ６を取ることを続けるか否かを決定することができる。ステップＳ８では、伸張物体を取り除くことによって充電手続きを終了させることができる。代替的に、電源デバイスに設けられる切換回路があることができ、切換回路はスイッチを含み、充電モジュール及び電力入力部にそれぞれ連結される。そのような場合には、スイッチをオフにして電力入力部への連結を遮断することによって、ステップＳ６における充電手続きを終了させることができる。
【０１４１】
その長手方向において直立することができる伸張物体を備える充電デバイスを利用することによって、ユーザは、追加的なツールを使用することを必要とせずに、高い場所に配置される電気窓覆いの電源デバイスに対する充電作業を行うことができる。更に、ユーザは、電気窓覆いの電源デバイスの残留電力状態をいつでもモニタリング（監視）ことができ、それは電気窓覆いの実用性を増大させる。
【０１４２】
上述の実施形態は本発明の幾つかの好ましい実施形態に過ぎないことが指摘されなければならない。この明細書及び添付の請求項に開示す着想を利用する全ての均等な構造及び方法が本発明の範囲内に入るべきである。
【０１４３】
当業者は、本発明の教示を維持しながら本デバイス及び本方法の数多くの修正及び変更が行われてよいことを容易に観察するであろう。従って、上記開示は添付の請求項の境界によってのみ限定されるもの解釈されるべきである。
【符号の説明】
【０１４４】
２          電気窓覆い(electric  window  covering)
４          充電デバイス(charging  device)
２０        ケース(case)
２１        ハウジング(housing)
２１１      フレーム(frame)
２１１１    外側プレート(outer  plate)
２１１２    第１の端子台(first  terminal  block)
２１１２ｄ  第１の端子台(first  terminal  block)
２１２      ノッチ(notch)
２１２１    開口(opening)
２１２１１  内壁(inner  wall)
２１２１２  停止部材(stop  member)
２１２２    内側頂壁(inner  top  wall)
２１２３    内側底面(inner  bottom  surface)
２１２４    内面(inner  surface)
２１２５    フランジ(flange)
２１３      カバープレート(cover  plate)
２１３１    内壁(inner  wall)
２１４      バネ(spring)
２１５      第１のシート(first  sheet)
２１６      第２のシート(second  sheet)
２２        電力入力部(electric  power  input)
２２１      受信器コイルモジュール(receiver  coil  module)
２３        電源デバイス(power  supply  device)
２３１      第１の再充電可能な電池(first  rechargeable  battery)
２３２      第１の充電モジュール(first  charging  module)
２３２１    第１の残留電力検出回路(first  remaining  power  detection  circuit)
２３３      第１のディスプレイユニット(first  display  unit)
２４        電動アセンブリ(motorized  assembly)
２６        取付スロット(fitting  slot)
４１        伸張物体(extension  object)
４１１      第１の接続部分(first  connecting  portion)
４１２      第２の接続部分(second  connecting  portion)
４１３      連通空間(communicated  space)
４１４      剛性スリーブ(stiff sleeves)
４１４１    通路(channels)
４２        電力出力部(electric  power  output)
４２１      送信器コイルモジュール(transmitter  coil  module)
４３        蓄電デバイス(power  storage  device)
４３１      第２の再充電可能な電池(second  rechargeable  battery)
４３２      第２の充電モジュール(second  charging  module)
４３２１    第２の残留電力検出回路(second  remaining  power  detection  circuit)
４３３      第２のディスプレイユニット(second  display  unit)
４４        導体(conductor)
４４１      第１の端(first  end)
４４２      第２の端(second  end)
４４ａ      ワイヤ(wire)
４４ａ１    第１の端(first  end)
４４ａ２    第２の端(second  end)／螺旋ワイヤ(spiral  wire)
４５        係合部分(engaging  portion)
４５ａ      係合部分(engaging  portion)
４５ａ１    溝(groove)
４５ｂ      係合部分(engaging  portion)
４５ｃ      係合部分(engaging  portion)
４５ｄ      係合部分(engaging  portion)
４５ｄ１    開放端面(open  end  surface)
４５ｄ１１  円形溝(circular  groove)
４５ｄ２    ブロック部材(block  member)
４５ｄ３    係合溝(engaging  groove)
４６        第２の端子台(second  terminal  block)
４８        ホルダ(holder)
４８１      ウイング(wings)
４９        第１の電気コネクタ(first  electrical  connector)
５０        第２の電気コネクタ(second  electrical  connector)
５１        振動吸収部材(vibration  absorbing  member)
５２        取付部分(fitting  portion)
５２１      取付端(fitting  end)
５３        弾性プレート(elastic  plate)
Ｄ１        第１のディスプレイデバイス(first  display  device)
Ｄ２        第２のディスプレイデバイス(second  display  device)
Ｍ１        第１の磁性部材(first  magnetic  member)
Ｍ２        第２の磁性部材(second  magnetic  member)
Ｍ３        第３の磁性部材(third  magnetic  member)
Ｍ４        第４の磁性部材(fourth  magnetic  member)
Ｍ５        第５の磁性部材(fifth  magnetic  member)
Ｍ６        第６の磁性部材(sixth  magnetic  member)
Ｍ７        第７の磁性部材(seventh  magnetic  member)
Ｍ８        第８の磁性部材(eighth  magnetic  member)
Ｔ１        変圧器(transformer)
【図１】
2018183048.tif 000003
【図２】
2018183048.tif 000004
【図３】
2018183048.tif 000005
【図４】
2018183048.tif 000006
【図５】
2018183048.tif 000007
【図６】
2018183048.tif 000008
【図７】
2018183048.tif 000009
【図８】
2018183048.tif 000010
【図９Ａ】
2018183048.tif 000011
【図９Ｂ】
2018183048.tif 000012
【図１０】
2018183048.tif 000013
【図１１】
2018183048.tif 000014
【図１２】
2018183048.tif 000015
【図１３】
2018183048.tif 000016
【図１４】
2018183048.tif 000017
【図１５】
2018183048.tif 000018
【図１６】
2018183048.tif 000019
【図１７】
2018183048.tif 000020
【図１８】
2018183048.tif 000021
【図１９】
2018183048.tif 000022
【図２０】
2018183048.tif 000023
【図２１】
2018183048.tif 000024
【図２２】
2018183048.tif 000025
【図２３】
2018183048.tif 000026
【図２４】
2018183048.tif 000027
【図２５】
2018183048.tif 000028
【図２６】
2018183048.tif 000029
【図２７】
2018183048.tif 000030
【図２８Ａ】
2018183048.tif 000031
【図２８Ｂ】
2018183048.tif 000032
【図２８Ｃ】
2018183048.tif 000033
【図２９】
2018183048.tif 000034
【図３０】
2018183048.tif 000035
【図３１】
2018183048.tif 000036
【図３２】
2018183048.tif 000037
【図３３】
2018183048.tif 000038
【図３４】
2018183048.tif 000039
【図３５】
2018183048.tif 000040
【図３６】
2018183048.tif 000041
【図３７Ａ】
2018183048.tif 000042
【図３７Ｂ】
2018183048.tif 000043
【図３８】
2018183048.tif 000044
【図３９】
2018183048.tif 000045
【図４０】
2018183048.tif 000046
【図４１Ａ】
2018183048.tif 000047
【図４１Ｂ】
2018183048.tif 000048
【図４２】
2018183048.tif 000049
【図４３】
2018183048.tif 000050
【図４４】
2018183048.tif 000051
【図４５Ａ】
2018183048.tif 000052
【図４５Ｂ】
2018183048.tif 000053
【図４６Ａ】
2018183048.tif 000054
【図４６Ｂ】
2018183048.tif 000055
【図４７】
2018183048.tif 000056
【図４８】
2018183048.tif 000057
【図４９】
2018183048.tif 000058
【図５０】
2018183048.tif 000059
【外国語明細書】
2018183048000001.pdf